(57)【要約】【課題】患者の医療情報におけるセキュリティを従来より向上させること【解決手段】患者を識別するための第１患者識別情報を取得する第１取得部と、第１患者識別情報と、患者を識別する情報としてあらかじめ記憶された第２患者識別情報とが一致するか否かを判定する第１判定部と、第１判定部が一致すると判定した場合、第２患者識別情報に対応する患者の医療情報の表示画面を表示する第１表示部と、第１判定部で一致すると判定された場合に、看護師または医師を識別するための第１医師等識別情報を取得する第２取得部と、第１医師等識別情報と、看護師または医師を識別する情報としてあらかじめ記憶された第２医師等識別情報とが一致するか否か判定する第２判定部と、第２判定部が一致すると判定した場合、第２患者識別情報に対応する患者の医療情報のうち看護師または医師が必要とする医療情報を含む表示画面を表示する第２表示部と、を備える。【選択図】  図２
2018152139.tif 000002
【特許請求の範囲】
【請求項１】
患者を識別するための第１患者識別情報を取得する第１取得部と、
前記第１患者識別情報と、患者を識別する情報としてあらかじめ記憶された第２患者識別情報とが一致するか否かを判定する第１判定部と、
前記第１判定部が一致すると判定した場合、前記第２患者識別情報に対応する患者の医療情報の表示画面を表示する第１表示部と、
前記第１判定部で一致すると判定された場合に、看護師または医師を識別するための第１医師等識別情報を取得する第２取得部と、
前記第１医師等識別情報と、看護師または医師を識別する情報としてあらかじめ記憶された第２医師等識別情報とが一致するか否か判定する第２判定部と、
前記第２判定部が一致すると判定した場合、前記第２患者識別情報に対応する患者の医療情報のうち前記看護師または前記医師が必要とする医療情報を含む表示画面を表示する第２表示部と、
を備える情報処理システム。
【請求項２】
患者を識別するための第１患者識別情報を取得する第１取得部と、
前記第１患者識別情報と、患者を識別する情報としてあらかじめ記憶された第２患者識別情報とが一致するか否かを判定する第１判定部と、
前記第１判定部が一致すると判定した場合、前記第２患者識別情報に対応する患者の医療情報の表示画面を表示する第１表示部と、
前記第１判定部で一致すると判定された場合に、看護師または医師を識別するための第１医師等識別情報を取得する第２取得部と、
前記第１医師等識別情報と、看護師または医師を識別する情報としてあらかじめ記憶された第２医師等識別情報とが一致するか否か判定する第２判定部と、
前記第２判定部が一致すると判定した場合、前記第２患者識別情報に対応する患者の状態に関する状態情報の入力を受け付けるための入力画面を表示する第２表示部と、
を備える情報処理システム。
【請求項３】
患者を識別するための第１患者識別情報を取得する第１取得ステップと、
前記第１患者識別情報と、患者を識別する情報としてあらかじめ記憶された第２患者識別情報とが一致するか否かを判定する第１判定ステップと、
前記第１判定ステップにおいて一致すると判定した場合、前記第２患者識別情報に対応する患者の医療情報の表示画面を表示する第１表示ステップと、
前記第１判定ステップにおいて一致すると判定された場合に、看護師または医師を識別するための第１医師等識別情報を取得する第２取得ステップと、
前記第１医師等識別情報と、看護師または医師を識別する情報としてあらかじめ記憶された第２医師等識別情報とが一致するか否か判定する第２判定ステップ、
前記第２判定ステップにおいて一致すると判定した場合、前記第２患者識別情報に対応する患者の医療情報のうち前記看護師または前記医師が必要とする医療情報を含む表示画面を表示する第２表示ステップと、
を含む情報処理方法。
【請求項４】
患者を識別するための第１患者識別情報を取得する第１取得ステップと、
前記第１患者識別情報と、患者を識別する情報としてあらかじめ記憶された第２患者識別情報とが一致するか否かを判定する第１判定ステップと、
前記第１判定ステップにおいて一致すると判定した場合、前記第２患者識別情報に対応する患者の医療情報の表示画面を表示する第１表示ステップと、
前記第１判定ステップにおいて一致すると判定された場合に、看護師または医師を識別するための第１医師等識別情報を取得する第２取得ステップと、
前記第１医師等識別情報と、看護師または医師を識別する情報としてあらかじめ記憶された第２医師等識別情報とが一致するか否か判定する第２判定ステップと、
前記第２判定ステップにおいて一致すると判定した場合、前記第２患者識別情報に対応する患者の状態に関する状態情報の入力を受け付けるための入力画面を表示する第２表示ステップと、
を含む情報処理方法。
【発明の詳細な説明】
【技術分野】
【０００１】
本発明は、医療に関する医療情報の表示技術に関する。
【背景技術】
【０００２】
従来、入院中の患者が自身に対して行われる処置、検査または手術等の医療情報を知りたい場合、医療情報をピクトグラム等で表示した端末装置で確認することがある。この種の端末装置はデータを更新することで容易に表示内容を変更することができるため、紙等に比べて利便性が高いことから近年利用されている。
【０００３】
例えば、特許文献１には医療情報を医療用サーバから取得し、取得した医療情報に基づいてピクトグラムを表示する端末装置が記載されている。
【先行技術文献】
【特許文献】
【０００４】
【特許文献１】特開２０１５−１８４６１号公報
【発明の概要】
【発明が解決しようとする課題】
【０００５】
しかし、特許文献１に開示された端末装置では、セキュリティを確保することが難しいという問題がある。
【０００６】
一つの側面では、セキュリティを従来より向上させることができるプログラム等を提供することにある。
【課題を解決するための手段】
【０００７】
上記目的を達成するため、本発明に係る情報処理システムは、
患者を識別するための第１患者識別情報を取得する第１取得部と、
前記第１患者識別情報と、患者を識別する情報としてあらかじめ記憶された第２患者識別情報とが一致するか否かを判定する第１判定部と、
前記第１判定部が一致すると判定した場合、前記第２患者識別情報に対応する患者の医療情報の表示画面を表示する第１表示部と、
前記第１判定部で一致すると判定された場合に、看護師または医師を識別するための第１医師等識別情報を取得する第２取得部と、
前記第１医師等識別情報と、看護師または医師を識別する情報としてあらかじめ記憶された第２医師等識別情報とが一致するか否か判定する第２判定部と、
前記第２判定部が一致すると判定した場合、前記第２患者識別情報に対応する患者の医療情報のうち前記看護師または前記医師が必要とする医療情報を含む表示画面を表示する第２表示部と、
を備える。
【０００８】
上記目的を達成するため、本発明に係る情報処理システムは、
患者を識別するための第１患者識別情報を取得する第１取得部と、
前記第１患者識別情報と、患者を識別する情報としてあらかじめ記憶された第２患者識別情報とが一致するか否かを判定する第１判定部と、
前記第１判定部が一致すると判定した場合、前記第２患者識別情報に対応する患者の医療情報の表示画面を表示する第１表示部と、
前記第１判定部で一致すると判定された場合に、看護師または医師を識別するための第１医師等識別情報を取得する第２取得部と、
前記第１医師等識別情報と、看護師または医師を識別する情報としてあらかじめ記憶された第２医師等識別情報とが一致するか否か判定する第２判定部と、
前記第２判定部が一致すると判定した場合、前記第２患者識別情報に対応する患者の状態に関する状態情報の入力を受け付けるための入力画面を表示する第２表示部と、
を備える。
【０００９】
上記目的を達成するため、本発明に係る情報処理方法は、
患者を識別するための第１患者識別情報を取得する第１取得ステップと、
前記第１患者識別情報と、患者を識別する情報としてあらかじめ記憶された第２患者識別情報とが一致するか否かを判定する第１判定ステップと、
前記第１判定ステップにおいて一致すると判定した場合、前記第２患者識別情報に対応する患者の医療情報の表示画面を表示する第１表示ステップと、
前記第１判定ステップにおいて一致すると判定された場合に、看護師または医師を識別するための第１医師等識別情報を取得する第２取得ステップと、
前記第１医師等識別情報と、看護師または医師を識別する情報としてあらかじめ記憶された第２医師等識別情報とが一致するか否か判定する第２判定ステップ、
前記第２判定ステップにおいて一致すると判定した場合、前記第２患者識別情報に対応する患者の医療情報のうち前記看護師または前記医師が必要とする医療情報を含む表示画面を表示する第２表示ステップと、
を含む。
【００１０】
上記目的を達成するため、本発明に係る情報処理方法は、
患者を識別するための第１患者識別情報を取得する第１取得ステップと、
前記第１患者識別情報と、患者を識別する情報としてあらかじめ記憶された第２患者識別情報とが一致するか否かを判定する第１判定ステップと、
前記第１判定ステップにおいて一致すると判定した場合、前記第２患者識別情報に対応する患者の医療情報の表示画面を表示する第１表示ステップと、
前記第１判定ステップにおいて一致すると判定された場合に、看護師または医師を識別するための第１医師等識別情報を取得する第２取得ステップと、
前記第１医師等識別情報と、看護師または医師を識別する情報としてあらかじめ記憶された第２医師等識別情報とが一致するか否か判定する第２判定ステップと、
前記第２判定ステップにおいて一致すると判定した場合、前記第２患者識別情報に対応する患者の状態に関する状態情報の入力を受け付けるための入力画面を表示する第２表示ステップと、
を含む。
【発明の効果】
【００１１】
患者の医療情報におけるセキュリティを従来より向上させることができる。
【図面の簡単な説明】
【００１２】
【図１】情報処理システムの概要を示す模式図である。
【図２】情報処理装置、医療用サーバ、端末装置および電子カルテサーバのハードウェア群を示すブロック図である。
【図３】医療情報ＤＢに格納されているデータの一例を示す図である。
【図４】予定情報ＤＢに格納されているデータの一例を示す図である。
【図５】検査情報ＤＢに格納されているデータの一例を示す図である。
【図６】手術情報ＤＢに格納されているデータの一例を示す図である。
【図７】患者の医療情報を表示するための患者用画面を説明する説明図である。
【図８】検査表示画面を説明する説明図である。
【図９】手術表示画面を説明する説明図である。
【図１０】同意画面を説明する説明図である。
【図１１】本実施形態における情報処理システムの処理手順を示したフローチャートである。
【図１２】本実施形態における情報処理システムの処理手順を示したフローチャートである。
【図１３】本実施形態における検査表示画面の表示処理を示したフローチャートである。
【図１４】本実施形態における手術表示画面等の表示処理を示したフローチャートである。
【図１５】本実施形態における手術表示画面等の表示処理を示したフローチャートである。
【図１６】本実施形態における手術表示画面等の表示処理を示したフローチャートである。
【図１７】情報処理装置、医療用サーバ、端末装置および電子カルテサーバのハードウェア群を示すブロック図である。
【図１８】ＩＤ種類ＤＢに格納されているデータの一例を示す図である。
【図１９】バイタルＤＢに格納されているデータの一例を示す図である。
【図２０】看護師専用画面を説明する説明図である。
【図２１】バイタル画面を説明する説明図である。
【図２２】看護支援記録画面を説明する説明図である。
【図２３】本実施形態における情報処理システムの処理手順を示したフローチャートである。
【図２４】本実施形態における情報処理システムの処理手順を示したフローチャートである。
【図２５】本実施形態における情報処理システムの処理手順を示したフローチャートである。
【図２６】本実施形態における情報処理システムの処理手順を示したフローチャートである。
【図２７】情報処理装置、医療用サーバ、端末装置および電子カルテサーバのハードウェア群を示すブロック図である。
【図２８】ピクトグラムＤＢに格納されているデータの一例を示す図である。
【図２９】クリニカルパスを表示するクリニカルパス画面を示す説明図である。
【図３０】本実施形態における情報処理システムの処理手順を示したフローチャートである。
【図３１】本実施形態における情報処理システムの処理手順を示したフローチャートである。
【図３２】本実施形態における情報処理システムの処理手順を示したフローチャートである。
【図３３】情報処理装置、医療用サーバ、端末装置および電子カルテサーバのハードウェア群を示すブロック図である。
【図３４】画像データＤＢに格納されているデータの一例を示す図である。
【図３５】医師専用画面を説明する説明図である。
【図３６】画像選択画面を説明する説明図である。
【図３７】本実施形態における情報処理システムの処理手順を示したフローチャートである。
【図３８】本実施形態における情報処理システムの処理手順を示したフローチャートである。
【発明を実施するための形態】
【００１３】
実施の形態１
以下本実施の形態を、図面を参照して説明する。図１は情報処理システムの概要を示す模式図である。図１に示す情報処理システムは、情報処理装置１と、医療用サーバ２と、端末装置３および電子カルテサーバ４とを備える。情報処理装置１、医療用サーバ２および端末装置３はインターネット、ＬＡＮ(Local Area Network)または携帯電話網等の通信網Ｎ１により相互に接続されている。医療用サーバ２および電子カルテサーバ４はインターネット、ＬＡＮまたは携帯電話網等の通信網Ｎ２により相互に接続されている。情報処理装置１は通信網Ｎ１を介して、医療用サーバ２および端末装置３との間で情報の送受信を行っている。医療用サーバ２は通信網Ｎ２を介して、電子カルテサーバ４との間で情報の送受信を行っている。なお、電子カルテサーバ４はセキュリティの観点から情報処理装置１および端末装置３と通信網Ｎ１で接続されていない。本実施形態における電子カルテ４２１内の情報は例えばＳＳ−ＭＩＸ（Standardized Structured Medical Information eXchange）等のシステムを用いて送受信されている。
【００１４】
以下では情報処理システムの概要を説明する。電子カルテサーバ４は後述する電子カルテ４２１を記憶する装置であり、例えばサーバコンピュータ等である。電子カルテサーバ４は医療用サーバ２へ電子カルテ４２１内に記憶された医療情報等を出力する。
【００１５】
医療用サーバ２は患者、看護師または医師（ユーザ）等を識別するためのＩＤ（識別情報）および医療に関する医療情報等を記憶する装置であり、例えばサーバコンピュータ等である。医療用サーバ２は電子カルテサーバ４から医療情報等を取得する。医療用サーバ２は取得した医療情報等をＩＤと関連付けて記憶する。医療用サーバ２はＩＤと関連付けて記憶した医療情報等を情報処理装置１へ出力する。
【００１６】
情報処理装置１は端末装置３に表示する画面等を生成する装置であり、例えばパーソナルコンピュータ等である。情報処理装置１はＩＤおよび医療情報等を医療用サーバ２から取得する。情報処理装置１はＩＤおよび医療情報等に基づいて医療情報を表示するための医療画面を生成する。情報処理装置１は生成した医療画面を端末装置３へ出力する。
【００１７】
端末装置３は医療画面等を表示する装置であり、例えば、タブレット型コンピュータ、スマートフォン、ＰＤＡ（Personal Digital Assistant）、携帯電話またはパーソナルコンピュータ等である。本実施形態における端末装置３はタブレット型コンピュータであるとして説明する。端末装置３は患者の手に巻かれたリストバンドに記載されたバーコードから認証処理を行う（詳しい記述は後述する）。端末装置３は認証処理を行った後、情報処理装置１から医療画面を取得する。端末装置３は取得した医療画面を表示する。患者は医療画面を確認することで自身に行われる医療行為等を知ることができる。
【００１８】
以下では情報処理システムの詳細を説明する。図２は情報処理装置１、医療用サーバ２、端末装置３および電子カルテサーバ４のハードウェア群を示すブロック図である。図２に示す情報処理装置１は、ＣＰＵ(Central Processing Unit)１１、記憶部１２、ＲＡＭ（記憶部）１３、入力部１４、表示部１５、通信部１６および計時部１７を備える。
【００１９】
ＣＰＵ１１は、バスを介してハードウェア各部と接続されている。ＣＰＵ１１は例えば一もしくは複数のＣＰＵまたはマルチコアＣＰＵ等を備える。ＣＰＵ１１は、記憶部１２に記憶されたプログラム１２Ｐに従いハードウェアの各部を制御する。
【００２０】
記憶部１２は例えばハードディスクまたは大容量メモリ等である。記憶部１２にはＣＰＵ１１が処理を行う際に必要とする種々のデータおよびプログラム１２Ｐを格納する。ＲＡＭ１３は例えばＳＲＡＭ（Static Random Access Memory）等である。ＲＡＭ１３は、記憶部としても機能し、ＣＰＵ１１による各種プログラムの実行時に発生する種々のデータを一時的に記憶する。
【００２１】
入力部１４はマウスまたはキーボード等の入力デバイスであり、受け付けた操作情報をＣＰＵ１１へ送信する。表示部１５はＣＰＵ１１から送信された画像データを表示する。表示部１５は例えば液晶画面である。通信部１６は、例えば無線ＬＡＮカードまたは携帯電話用通信モジュール等であり、通信網Ｎ１を介して各種情報を医療用サーバ２および端末装置３との間で送受信する。計時部１７は、例えば現在の時点における時刻および年月日を計時し、ＣＰＵ１１の要求に従って、計時結果をＣＰＵ１１に出力する。
【００２２】
図２に示す医療用サーバ２は、ＣＰＵ２１、記憶部２２、ＲＡＭ２３、入力部２４、表示部２５および通信部２６を備える。医療用サーバ２は、ＣＰＵ２１、ＲＡＭ２３、入力部２４および表示部２５の構成は、情報処理装置１のＣＰＵ１１、ＲＡＭ１３、入力部１４および表示部１５の構成と同様であるため、簡潔のため記載を省略する。
【００２３】
記憶部２２は例えばハードディスクまたは大容量メモリ等である。記憶部２２にはＣＰＵ２１が処理を行う際に必要とする種々のデータ、医療情報ＤＢ２２１、予定情報ＤＢ２２２、検査情報ＤＢ２２３、手術情報ＤＢ２２４およびプログラム２２Ｐを格納する。通信部２６は、例えば無線ＬＡＮカードまたは携帯電話用通信モジュール等であり、通信網Ｎ１を介して各種情報を情報処理装置１および端末装置３との間で送受信する。また通信部２６は通信網Ｎ２を介して医療情報を電子カルテサーバ４との間で送受信する。
【００２４】
図２に示す端末装置３は、ＣＰＵ３１、記憶部３２、ＲＡＭ３３、入力部３４、表示部３５、通信部３６および撮像部３７を備える。端末装置３は、ＣＰＵ３１、ＲＡＭ３３および表示部３５の構成は、情報処理装置１のＣＰＵ１１、ＲＡＭ１３および表示部１５の構成と同様であるため、簡潔のため記載を省略する。
【００２５】
記憶部３２は例えばハードディスクまたは大容量メモリ等である。記憶部３２にはＣＰＵ３１が処理を行う際に必要とする種々のデータ、およびプログラム３２Ｐを格納する。入力部３４はタッチパネル等の入力デバイスであり、受け付けた操作情報をＣＰＵ３１へ出力する。また入力部３４はタッチパネルへ入力を行う電子ペン等も含まれるものとする。通信部３６は、例えば無線ＬＡＮカードまたは携帯電話用通信モジュール等であり、通信網Ｎ１を介して各種情報を情報処理装置１および医療用サーバ２との間で送受信する。撮像部３７は例えばＣＣＤカメラまたはＣＭＯＳカメラ等であり、ＣＣＤまたはＣＯＭＳ等を介して入力された光信号を光電変換することにより画像データを取得する。
【００２６】
図２に示す電子カルテサーバ４は、ＣＰＵ４１、記憶部４２、ＲＡＭ４３、入力部４４、表示部４５および通信部４６を備える。電子カルテサーバ４は、ＣＰＵ４１、ＲＡＭ４３、入力部４４および表示部４５の構成は、情報処理装置１のＣＰＵ１１、ＲＡＭ１３、入力部１４および表示部１５の構成と同様であるため、簡潔のため記載を省略する。
【００２７】
記憶部４２は例えばハードディスクまたは大容量メモリ等である。記憶部４２にはＣＰＵ４１が処理を行う際に必要とする種々のデータ、電子カルテ４２１およびプログラム４２Ｐを格納する。電子カルテ４２１には例えば、医療情報、医療行為を行う予定を示す予定情報、検査情報および手術情報等が含まれている。通信部４６は、例えば無線ＬＡＮカードまたは携帯電話用通信モジュール等であり、通信網Ｎ２を介して電子カルテ４２１内の情報を医療用サーバ２との間で送受信する。
【００２８】
図３は医療情報ＤＢ２２１に格納されているデータの一例を示す図である。医療情報ＤＢ２２１は医療情報等を記憶するデータベースである。医療情報とは例えば、後述するリハビリ情報、薬情報、検査情報、手術情報、処置情報、注意メッセージ、ピクトグラム、栄養指導およびバイタル等である。なお、医療情報とはこれらに限られず、医療に関する情報であれば含まれるものとする。医療情報ＤＢ２２１は患者ＩＤ列、リハビリ情報列、薬情報列、検査情報列、手術情報列、処置情報列、注意メッセージ列およびピクトグラム列等を備える。患者ＩＤ列には患者を識別するための患者ＩＤが記憶される。リハビリ情報列には患者ＩＤに対応づけて、リハビリ内容を示すリハビリ情報が記憶される。薬情報列には薬の内容を示す薬情報が記憶される。
【００２９】
検査情報列には患者ＩＤに対応づけて、検査の内容を示す検査情報が記憶される。検査情報列には例えば、ＣＴ(Computed Tomography)検査、血液検査またはＭＲＩ（Magnetic Resonance Imaging）検査等が記憶される。手術情報列には手術の内容を示す手術情報が記憶される。手術情報列には例えば、開腹手術、開胸手術または開頭手術等が記憶される。処置情報列には処置の内容を示す処置情報が記憶される。処置情報列には例えば、止血処置、創傷処置または熱傷処置等が記憶される。止血処置とは包帯等で止血する処置である。創傷処置とは傷に対して縫合等を行う処置である。熱傷処置とは熱傷に対して冷却等を行う処置である。注意メッセージ列には患者に対する注意を示す注意メッセージが記憶される。ピクトグラム列には患者に対する医療行為を示すピクトグラムが記憶される。
【００３０】
医療情報ＤＢ２２１の記憶方法は以下の通りである。ＣＰＵ２１は医師または看護師等により入力部２４で患者ＩＤの入力を受け付ける。ＣＰＵ２１は受け付けた患者ＩＤを医療情報ＤＢ２２１に記憶する。ＣＰＵ２１は通信部２６から医療情報の要求を電子カルテサーバ４へ出力する。ＣＰＵ４１は医療情報の要求を通信部４６で電子カルテサーバ４から取得する。ＣＰＵ４１は電子カルテ４２１に記憶された医療情報を通信部４６で医療用サーバ２へ出力する。ＣＰＵ２１は通信部２６で医療情報を取得する。ＣＰＵ２１は医療情報ＤＢ２２１に患者ＩＤと対応づけて医療情報を記憶する。なお、医療情報ＤＢ２２１の各列は対応づけられている。
【００３１】
図４は予定情報ＤＢ２２２に格納されているデータの一例を示す図である。予定情報ＤＢ２２２は予定情報等を記憶するデータベースである。予定情報ＤＢ２２２は患者ＩＤ列、医療年月日列、医療時刻列および医療情報列等を備える。患者ＩＤ列には患者ＩＤが記憶される。医療年月日列には患者ＩＤに対応づけて、医療行為を行う医療年月日が記憶される。医療時刻列には患者ＩＤに対応づけて、医療行為を行う医療時刻が記憶される。医療情報列には患者ＩＤに対応づけて、医療情報が記憶される。
【００３２】
予定情報ＤＢ２２２の記憶方法は以下の通りである。ＣＰＵ２１は医師または看護師等により入力部２４で患者ＩＤの入力を受け付ける。ＣＰＵ２１は受け付けた患者ＩＤを予定情報ＤＢ２２２に記憶する。ＣＰＵ２１は通信部２６から予定情報の要求を電子カルテサーバ４へ出力する。ＣＰＵ４１は予定情報の要求を通信部４６で電子カルテサーバ４から取得する。ＣＰＵ４１は電子カルテ４２１に記憶された予定情報を通信部４６で医療用サーバ２へ出力する。ＣＰＵ２１は通信部２６で予定情報を取得する。ＣＰＵ２１は予定情報ＤＢ２２２に患者ＩＤと対応づけて予定情報を記憶する。なお、予定情報ＤＢ２２２の各列は対応づけられている。
【００３３】
図５は検査情報ＤＢ２２３に格納されているデータの一例を示す図である。検査情報ＤＢ２２３は検査情報等を記憶するデータベースである。検査情報ＤＢ２２３は検査情報列、検査説明列、前日検査説明列および当日検査説明列を備える。検査情報列には検査情報が記憶される。検査説明列には検査説明が記憶される。検査説明とは患者に対して行われる全体的な検査の説明を示す検査説明メッセージである。検査説明は例えば、検査の内容、検査の目的または危険性の説明等である。前日検査説明列には前日検査説明が記憶される。前日検査説明とは検査の前日に患者に対して行われる医療行為の説明を示す前日検査説明メッセージである。前日検査説明は例えば、検査の前日に摂る食事の内容、与えられる薬の内容または一般的な注意等である。当日説明列には当日検査説明が記憶される。当日検査説明とは検査の当日に患者に対して行われる医療行為の説明を示す当日検査説明メッセージである。当日検査説明は、例えば検査の当日に摂る食事の内容、与えられる薬の内容、着る服装または一般的な注意等である。なお、検査説明、前日検査説明および当日検査説明はメッセージに限られず、画像または音声等でもよい。
【００３４】
検査情報ＤＢ２２３の記憶方法は以下の通りである。ＣＰＵ２１は通信部２６から検査情報の要求を電子カルテサーバ４へ出力する。ＣＰＵ４１は検査情報等の要求を通信部４６で電子カルテサーバ４から取得する。ＣＰＵ４１は電子カルテ４２１に記憶された検査情報等を通信部４６で医療用サーバ２へ出力する。ＣＰＵ２１は通信部２６で検査情報等を取得する。ＣＰＵ２１は検査情報ＤＢ２２３に検査情報等を記憶する。なお、検査情報ＤＢ２２３の各列は対応づけられている。
【００３５】
図６は手術情報ＤＢ２２４に格納されているデータの一例を示す図である。手術情報ＤＢ２２４は手術情報等を記憶するデータベースである。手術情報ＤＢ２２４は手術情報列、手術説明列、手術説明フラグ列、前日手術説明列、前日手術説明フラグ列、当日手術説明列、当日手術説明フラグ列、後日手術説明列、後日手術説明フラグ列および同意フラグ列を備える。手術情報列には手術情報が記憶される。
【００３６】
手術説明列には手術説明が記憶される。手術説明とは患者に対して行われる全体的な手術の説明を示す手術説明メッセージである。手術説明メッセージは例えば、予定している手術の名称および方法、予想される合併症、偶発症または危険性、予定している手術により期待される効果、受けていない場合に予想される症状の推移、可能な他の治療法または実施中に緊急処置を行う必要が生じた場合の処置等である。手術説明フラグ列には手術説明メッセージを表示したか否かを示す手術説明フラグが記憶される。前日手術説明列には前日手術説明が記憶される。前日手術説明とは手術の前日に患者に対して行われる医療行為の説明を示す前日手術説明メッセージである。前日手術説明メッセージは例えば、手術の前日に行われる検査の内容、摂る食事の内容、与えられる薬の内容、行われる処置の内容または一般的な注意等である。前日手術説明フラグ列には前日手術説明メッセージを表示したか否かを示す前日手術説明フラグが記憶される。
【００３７】
当日手術説明列には当日手術説明が記憶される。当日手術説明とは手術の当日に患者に対して行われる医療行為の説明を示す前日手術説明メッセージである。当日手術説明は例えば手術全体の流れ、手術の注意点、手術の当日に摂る食事の内容、与えられる薬の内容または一般的な注意等である。当日手術説明フラグ列には当日手術説明メッセージを表示したか否かを示す当日手術説明フラグが記憶される。後日手術説明列には後日手術説明が記憶される。後日手術説明とは手術の後日に患者に対して行われる医療行為の説明を示す前日手術説明メッセージである。後日手術説明は例えば、手術の後日に行われるリハビリ、行われる検査の内容、摂る食事の内容、与えられる薬の内容、行われる処置の内容または一般的な注意等である。後日手術説明フラグ列には後日手術説明メッセージを表示したか否かを示す後日手術説明フラグが記憶される。同意フラグ列には手術の実施を同意したか否かを示す同意フラグが記憶される。
【００３８】
手術説明フラグ、前日手術説明フラグ、当日手術説明フラグおよび後日手術説明フラグの夫々がＴＲＵＥの場合、手術説明、前日手術説明、当日手術説明および後日手術説明の夫々を表示したことを示す。手術説明フラグ、前日手術説明フラグ、当日手術説明フラグおよび後日手術説明フラグの夫々がＦＡＬＳＥの場合、手術説明、前日手術説明、当日手術説明および後日手術説明の夫々を表示していないことを示す。同意フラグがＴＲＵＥの場合、手術の実施を同意したことを示す。同意フラグがＦＡＬＳＥの場合、手術の実施を同意しなかったことを示す。なお、同意フラグがＴＲＵＥの場合を同意情報とする。
【００３９】
手術説明フラグ、前日手術説明フラグ、当日手術説明フラグ、後日手術説明フラグおよび同意フラグは初期状態でＦＡＬＳＥに設定されている。なお、手術説明、前日手術説明、当日手術説明および後日手術説明はメッセージに限られず、画像または音声等でもよい。
【００４０】
手術情報ＤＢ２２４の記憶方法は以下の通りである。ＣＰＵ２１は通信部２６から手術情報等の要求を電子カルテサーバ４へ出力する。ＣＰＵ４１は手術情報等の要求を通信部４６で電子カルテサーバ４から取得する。ＣＰＵ４１は電子カルテ４２１に記憶された手術情報等を通信部４６で医療用サーバ２へ出力する。ＣＰＵ２１は通信部２６で手術情報等を取得する。ＣＰＵ２１は手術情報ＤＢ２２４に手術情報等を記憶する。また同意フラグ列にはあらかじめＦＡＬＳＥが設定されている。なお、手術情報ＤＢ２２４の各列は対応づけられている。
【００４１】
図７は患者の医療情報を表示するための患者用画面５を説明する説明図である。図７に示すように、患者用画面５は右部に設けられた医療情報表示欄５０と、医療情報表示欄５０の下部に設けられた切り替えボタン５４と、医療情報表示欄５０の左上部に設けられた年月日欄５５とを備える。医療情報表示欄５０は左部に設けられた予定欄５１と、右部に設けられた注意欄５２と、予定欄５１および注意欄５２の下部に設けられたピクトグラム欄５３とを備える。
【００４２】
医療情報表示欄５０は患者の医療情報を表示するための欄である。予定欄５１は今日の１日の予定を表示するための欄である。注意欄５２は患者に対する注意メッセージを表示するための欄である。ピクトグラム欄５３はピクトグラムを表示するための欄である。切り替えボタン５４は画面を切り替えるためのボタンである。切り替えボタン５４はリハ、与薬、検査、手術および処置ボタンを備える。年月日欄５５は現在の年月日を表示する欄である。リハボタンとは患者のリハビリに関する情報を表示する画面に切り替えるボタンである。与薬ボタンは患者に与える薬を表示するための画面に切り替えるボタンである。検査ボタンは患者に行う検査を表示するための検査表示画面６に切り替えるボタンである。手術ボタンは患者に行う手術に関する説明を表示するための手術表示画面（説明画面）７に切り替えるボタンである。処置ボタンは患者に行う処置を表示するための処置表示画面に切り替えるボタンである。本実施形態においては検査表示画面６および手術表示画面７を代表して説明する。
【００４３】
本実施形態における情報処理システムを説明する。まず情報処理システムは認証処理を行う。具体的な認証処理は以下の通りである。本実施形態における患者は１次元または２次元のバーコードを記載したリストバンドを手に巻いている。バーコードには患者ＩＤが含まれている。患者は端末装置３の撮像部３７でバーコードを撮像する。ＣＰＵ３１は撮像部３７で撮像されたバーコードを取得する。ＣＰＵ３１は画像処理を用いて取得したバーコードを患者ＩＤ「００１」に変換する。すなわちリストバンドとは、識別情報を含む識別媒体である。識別媒体とは、識別情報を介して自身を所持する患者、看護師または医師を識別するための器具または装置等の媒体である。なお、本実施形態ではリストバンドにバーコードを記載したが、これに限られるものではない。リストバンドは画像を記載してもよい。またリストバンドは数字、文字もしくは記号の羅列またはそれらの組み合わせを記載してもよい。
【００４４】
本実施形態では識別媒体としてリストバンドを用いたが、近距離通信を行う無線タグまたはＩＣ（Integrated Circuit）チップを搭載したＩＣカード等を識別媒体として用いてもよい。無線タグの使用方法は以下の通りである。患者が無線タグを端末装置３に近づける。無線タグは患者ＩＤを含む無線信号を端末装置３へ送信する。ＣＰＵ３１は無線タグから無線信号を通信部３６で受信し、通信部３６で受信した無線信号に含まれる患者ＩＤを取得する。ＩＣカードの使用方法は以下の通りである。患者が端末装置３に付属したカードリーダ（図示せず）にＩＣカードをタッチする。カードリーダはＩＣチップに含まれる患者ＩＤを読み取る。ＣＰＵ３１は読み取った患者ＩＤをカードリーダから取得する。
【００４５】
ＣＰＵ３１は患者ＩＤ「００１」を通信部３６から医療用サーバ２へ出力する。ＣＰＵ２１は患者ＩＤ「００１」を通信部２６で端末装置３から取得する。ＣＰＵ２１は取得した患者ＩＤ「００１」ならびに記憶部２２に記憶された医療情報ＤＢ２２１、予定情報ＤＢ２２２、検査情報ＤＢ２２３および手術情報ＤＢ２２４を通信部２６から情報処理装置１へ出力する。ＣＰＵ１１は患者ＩＤ「００１」、医療情報ＤＢ２２１、予定情報ＤＢ２２２、検査情報ＤＢ２２３および手術情報ＤＢ２２４を通信部１６で医療用サーバ２から取得する。なお、ＣＰＵ１１はＲＡＭ１３に患者ＩＤを一時的に記憶している。また、ＣＰＵ１１は記憶部１２に患者ＩＤを記憶してもよい。あるいはＣＰＵ１１は患者ＩＤと同時に医療情報ＤＢ２２１を取得するだけでなく、あらかじめ医療情報ＤＢ２２１等を取得していてもよい。ＣＰＵ１１は医療情報ＤＢ２２１を参照し、患者ＩＤ「００１」が記憶されているか否かを判定する。ＣＰＵ１１は医療情報ＤＢ２２１に患者ＩＤ「００１」が記憶されていると判定する。ＣＰＵ１１は医療情報ＤＢ２２１に基づいて患者用画面５を生成する。
【００４６】
以下、患者用画面５の生成方法を説明する。ＣＰＵ１１は計時部１７から現在の年月日「２０１５年８月２０日」を取得する。ＣＰＵ１１は現在の年月日「２０１５年８月２０日」を年月日欄５５に生成する。ＣＰＵ１１は予定情報ＤＢ２２２を参照する。ＣＰＵ１１は年月日「２０１５年８月２０日」の患者ＩＤ「００１」に対応する医療時刻「１０：２０」および医療情報「ＣＴ検査」、医療時刻「１４：００」および医療情報「リハビリ」ならびに医療時刻「１８：００」および医療情報「栄養指導」を予定欄５１に生成する。
【００４７】
ＣＰＵ１１は医療情報ＤＢ２２１を参照する。ＣＰＵ１１は患者ＩＤ「００１」に対応する注意メッセージ「アルコール禁止」等を注意欄５２に生成する。ＣＰＵ１１は患者ＩＤ「００１」に対応するピクトグラムＨ等をピクトグラム欄５３に生成する。
【００４８】
ＣＰＵ１１は生成した患者用画面５を通信部１６から端末装置３へ出力する。ＣＰＵ３１は患者用画面５を通信部３６で情報処理装置１から取得する。ＣＰＵ３１は患者用画面５を表示部３５に表示する。
【００４９】
次に患者用画面５の動作について説明する。患者が入力部３４で切り替えボタン５４の検査ボタンをタッチする。ＣＰＵ３１は検査ボタンの入力を受け付ける。ＣＰＵ３１は検査表示画面６の出力要求を通信部３６から情報処理装置１へ出力する。ＣＰＵ１１は検査表示画面６の出力要求を通信部１６で端末装置３から取得する。ＣＰＵ１１は検査情報ＤＢ２２３に基づいて検査表示画面６を生成する。ＣＰＵ１１は検査表示画面６を通信部１６から端末装置３へ出力する。ＣＰＵ３１は検査表示画面６を通信部３６で情報処理装置１から取得する。ＣＰＵ３１は検査表示画面６を表示部３５に表示する。
【００５０】
また患者が入力部３４で切り替えボタン５４の手術ボタンをタッチする。ＣＰＵ３１は手術ボタンの入力を受け付ける。ＣＰＵ３１は手術表示画面７の出力要求を通信部３６から情報処理装置１へ出力する。ＣＰＵ１１は手術表示画面７の出力要求を通信部１６で端末装置３から取得する。ＣＰＵ１１は手術情報ＤＢ２２４に基づいて手術表示画面７を生成する。ＣＰＵ１１は手術表示画面７、手術説明フラグ、前日手術説明フラグ、当日手術説明フラグおよび後日手術説明フラグを通信部１６から端末装置３へ出力する。ＣＰＵ３１は手術表示画面７、手術説明フラグ、前日手術説明フラグ、当日手術説明フラグおよび後日手術説明フラグを通信部３６で情報処理装置１から取得する。ＣＰＵ３１は手術表示画面７を表示部３５に表示する。
【００５１】
図８は検査表示画面６を説明する説明図である。図８に示すように、検査表示画面６は上部に設けられた検査名欄６１と、検査名欄６１の下部に設けられた検査説明ボタン６２と、検査説明ボタン６２の下部に設けられた前日検査説明ボタン６３と、前日検査説明ボタン６３の下部に設けられた当日検査説明ボタン６４と、下部に設けられた切り替えボタン６５とを備える。
【００５２】
以下、検査表示画面６の生成方法について説明する。ＣＰＵ１１は検査情報ＤＢ２２３を参照する。ＣＰＵ１１は検査情報「ＣＴ検査」を検査名欄６１に生成する。ＣＰＵ１１は前日検査説明ボタン６３の左に前日検査説明メッセージの冒頭「現在に至るお体…」を生成する。ＣＰＵ１１は当日検査説明ボタン６４の左に当日検査説明メッセージの冒頭「十分な睡眠をとり…」を生成する。切り替えボタン６５はリハビリ、投薬、検査および手術ボタンを備える。リハビリボタン、投薬ボタン、検査ボタンおよび手術ボタンは切り替えボタン５４におけるリハボタン、与薬ボタン、検査ボタンおよび手術ボタンと同様の動作をするボタンである。
【００５３】
次に検査表示画面６の動作について説明する。患者が入力部３４で検査説明ボタン６２をタッチする。ＣＰＵ３１は検査説明ボタン６２の入力を受け付ける。ＣＰＵ３１は検査説明メッセージ（図示せず）を表示部３５に表示する。患者が入力部３４で前日検査説明ボタン６３をタッチする。ＣＰＵ３１は前日検査説明ボタン６３の入力を受け付ける。ＣＰＵ３１は前日検査説明メッセージ（図示せず）を表示部３５に表示する。患者が入力部３４で当日検査説明ボタン６４をタッチする。ＣＰＵ３１は当日検査説明ボタン６４の入力を受け付ける。ＣＰＵ３１は当日検査説明メッセージ（図示せず）を表示部３５に表示する。
【００５４】
図９は手術表示画面７を説明する説明図である。図９に示すように、手術表示画面７は上部に設けられた手術名欄７１と、手術名欄７１の下部に設けられた手術説明ボタン７２と、手術説明ボタン７２の右部に設けられた同意書面ボタン（取得ボタン）７３と、同意書面ボタン７３の下部に設けられた前日手術説明ボタン７４と、前日手術説明ボタン７４の下部に設けられた当日手術説明ボタン７５と、当日手術説明ボタン７５の下部に設けられた後日手術説明ボタン７６と、下部に設けられた切り替えボタン７７とを備える。手術説明ボタン７２は手術説明を表示するためのボタンである。同意書面ボタン７３は同意情報の入力を受け付けるための同意画面８を取得し、表示部３５に表示するためのボタンである。同意書面ボタン７３は初期状態で入力が禁止されており、画面上でグレーアウト表示されている。前日手術説明ボタン７４は前日手術説明を表示するためのボタンである。当日手術説明ボタン７５は当日手術説明を表示するためのボタンである。後日手術説明ボタン７６は後日手術説明を表示するためのボタンである。手術説明ボタン７２、前日手術説明ボタン７４、当日手術説明ボタン７５および後日手術説明ボタン７６は初期状態でグレーアウト表示されている。
【００５５】
以下、手術表示画面７の生成方法について説明する。ＣＰＵ１１は手術情報ＤＢ２２４を参照する。ＣＰＵ１１は手術情報「開腹手術」を手術名欄７１に生成する。ＣＰＵ１１は前日手術説明ボタン７４の左部に前日手術説明メッセージの冒頭「現在に至るお体…」を生成する。ＣＰＵ１１は当日手術説明ボタン７５の左部に当日手術説明メッセージの冒頭「十分な睡眠をとり…」を生成する。ＣＰＵ１１は後日手術説明ボタン７６の左部に後日手術説明メッセージの冒頭「術後の痛み…」を生成する。切り替えボタン７７は切り替えボタン６５と同様の構成であり、簡潔のため記載を省略する。
【００５６】
次に手術表示画面７の動作について説明する。患者が入力部３４で手術説明ボタン７２をタッチする。ＣＰＵ３１は手術説明ボタン７２の入力を受け付ける。ＣＰＵ３１は手術説明メッセージ（図示せず）を表示部３５に表示する。ＣＰＵ３１は手術説明ボタン７２のグレーアウト表示を解除する。ＣＰＵ３１は手術説明フラグをＴＲＵＥにする。患者が入力部３４で前日手術説明ボタン７４をタッチする。ＣＰＵ３１は前日手術説明ボタン７４の入力を受け付ける。ＣＰＵ３１は前日手術説明メッセージ（図示せず）を表示部３５に表示する。ＣＰＵ３１は前日手術説明ボタン７４のグレーアウト表示を解除する。ＣＰＵ３１は前日手術説明フラグをＴＲＵＥにする。患者が入力部３４で当日手術説明ボタン７５をタッチする。ＣＰＵ３１は当日手術説明ボタン７５の入力を受け付ける。ＣＰＵ３１は当日手術説明メッセージ（図示せず）を表示部３５に表示する。ＣＰＵ３１は当日手術説明ボタン７５のグレーアウト表示を解除する。ＣＰＵ３１は当日手術説明フラグをＴＲＵＥにする。
【００５７】
患者が入力部３４で後日手術説明ボタン７６をタッチする。ＣＰＵ３１は後日手術説明ボタン７６の入力を受け付ける。ＣＰＵ３１は後日手術説明メッセージ（図示せず）を表示部３５に表示する。ＣＰＵ３１は後日手術説明ボタン７６のグレーアウト表示を解除する。ＣＰＵ３１は後日手術説明フラグをＴＲＵＥにする。
【００５８】
ＣＰＵ３１は手術説明フラグ、前日手術説明フラグ、当日手術説明フラグおよび後日手術説明フラグがＴＲＵＥであるか否かを判定する。すなわち、ＣＰＵ３１は各フラグがＴＲＵＥであるか否かを判定することで、手術説明ボタン７２、前日手術説明ボタン７４、当日手術説明ボタン７５および後日手術説明ボタン７６の入力を受け付けたか否かを判定する。ＣＰＵ３１は手術説明フラグ、前日手術説明フラグ、当日手術説明フラグおよび後日手術説明フラグがＴＲＵＥであると判定する。ＣＰＵ３１は手術説明フラグ、前日手術説明フラグ、当日手術説明フラグおよび後日手術説明フラグがＴＲＵＥであるため、同意書面ボタン７３の入力の受け付けを可能にし、同意書面ボタン７３のグレーアウト表示を解除する。患者が入力部３４で同意書面ボタン７３をタッチする。ＣＰＵ３１は同意書面ボタン７３の入力を受け付ける。ＣＰＵ３１は同意画面８の出力要求を通信部３６から情報処理装置１へ出力する。ＣＰＵ１１は同意画面８の出力要求を通信部１６で端末装置３から取得する。ＣＰＵ１１は医療情報ＤＢ２２１に基づいて同意画面８を生成する。ＣＰＵ１１は同意画面８を通信部１６で端末装置３へ出力する。ＣＰＵ３１は同意画面８を通信部３６で情報処理装置１から取得する。ＣＰＵ３１は同意画面８を表示部３５に表示する。
【００５９】
図１０は同意画面８を説明する説明図である。図１０に示すように、同意画面８は上部に設けられた手術メッセージ８０と、左部に設けられた同意ボタン８１と、右部に設けられた非同意ボタン８２と、同意ボタン８１および非同意ボタン８２の下部に設けられた氏名欄８３と、氏名欄８３の下部に設けられた住所欄８４とを備える。手術メッセージ８０は手術の説明を完了したことを示すメッセージである。同意ボタン８１は手術の実施について同意することを示すボタンである。非同意ボタン８２は手術の実施について同意しないことを示すボタンである。同意ボタン８１および非同意ボタン８２は初期状態で入力部３４からの入力を禁止されている。氏名欄８３は氏名のサイン画像の入力を受け付けるための欄である。サイン画像とは患者の筆跡で表される署名の画像である。具体的なサイン画像の入力方法は後述する。住所欄８４は住所のサイン画像の入力を受け付けるための欄である。
【００６０】
以下、同意画面８の生成方法について説明する。ＣＰＵ１１は医療情報ＤＢ２２１を参照する。患者ＩＤが「００１」であり、かつ手術情報が開腹手術であるため、ＣＰＵ１１は手術メッセージ８０に「患者ＩＤ「００１」の患者に対して、現在の病状および開腹手術に対する説明を行いました」を生成する。
【００６１】
次に同意画面８の動作について説明する。患者は入力部３４で氏名欄８３および住所欄８４に自身の氏名および住所のサイン画像を入力する。具体的には患者は入力部３４の電子ペンでタッチパネル上の氏名欄８３および住所欄８４に自身の名前および住所を書く。なお、氏名および住所のサイン画像は入力部３４のタッチパネルに手入力で行ってもよい。ＣＰＵ３１は氏名および住所のサイン画像の入力を受け付ける。ＣＰＵ３１は氏名および住所のサイン画像の入力を受け付けたか否かを判定する。ＣＰＵ３１は氏名および住所のサイン画像の入力を受け付けたと判定する。ＣＰＵ３１は同意ボタン８１および非同意ボタン８２の入力を許可する。患者が入力部３４で同意ボタン８１をタッチする。ＣＰＵ３１は同意ボタン８１の入力を受け付ける。ＣＰＵ３１は同意フラグをＴＲＵＥに設定する。患者が入力部３４で非同意ボタン８２をタッチする。ＣＰＵ３１は非同意ボタン８２の入力を受け付ける。ＣＰＵ３１は同意フラグをＦＡＬＳＥに設定する。
【００６２】
ＣＰＵ３１は同意フラグがＴＲＵＥであった場合、手術の実施を同意したことを示す同意メッセージを生成する。同意メッセージとは例えば「患者Ａが開腹手術に同意しました」である。ＣＰＵ１１は同意画面８を文書化した同意書面を生成する。文書化した同意書面とは例えば同意画面８をＰＤＦ（Portable Document Format、登録商標）に変換した文書である。なお、同意書面はＰＤＦに限られず、他の文書形式で生成してもよい。ＣＰＵ３１は生成した同意メッセージ、同意書面および設定した同意フラグを通信部３６から情報処理装置１へ出力する。ＣＰＵ１１は同意メッセージ、同意書面および設定した同意フラグを通信部１６で端末装置３から取得する。ＣＰＵ１１は同意メッセージを表示部１５に表示する。ＣＰＵ１１は手術情報ＤＢ２２４の同意フラグをＴＲＵＥに更新する。ＣＰＵ１１はＰＤＦ化した同意書面を記憶部１２に保存する。なお、同意書面および同意メッセージは医療用サーバ２または医師が操作する他の端末装置（図示せず）へ出力するようにしてもよい。
【００６３】
図１１〜１２は本実施形態における情報処理システムの処理手順を示したフローチャートである。患者は端末装置３の撮像部３７でバーコードを撮像する。ＣＰＵ３１は撮像部３７で撮像されたバーコードを取得する（ステップＳ１１）。ＣＰＵ３１は画像処理を用いて取得したバーコードを患者ＩＤに変換する（ステップＳ１２）。ＣＰＵ３１は患者ＩＤを通信部３６で医療用サーバ２へ出力する（ステップＳ１３）。ＣＰＵ２１は患者ＩＤを通信部２６で端末装置３から取得する（ステップＳ１４）。ＣＰＵ２１は取得した患者ＩＤならびに記憶部２２に記憶された医療情報ＤＢ２２１、予定情報ＤＢ２２２、検査情報ＤＢ２２３および手術情報ＤＢ２２４を通信部２６から情報処理装置１へ出力する（ステップＳ１５）。ＣＰＵ１１は患者ＩＤ、医療情報ＤＢ２２１、予定情報ＤＢ２２２、検査情報ＤＢ２２３および手術情報ＤＢ２２４を通信部１６で医療用サーバ２から取得する（ステップＳ１６）。ＣＰＵ１１は医療情報ＤＢ２２１を参照し、患者ＩＤ「００１」が記憶されているか否かを判定する（ステップＳ１７）。
【００６４】
ＣＰＵ１１は取得した患者ＩＤが医療情報ＤＢ２２１に記憶されていないと判定した場合（ステップＳ１７：ＮＯ）、処理を終了する。ＣＰＵ２１は取得した患者ＩＤが医療情報ＤＢ２２１に記憶されていると判定した場合（ステップＳ１７：ＹＥＳ）、医療情報ＤＢ２２１および予定情報ＤＢ２２２に基づいて患者用画面５を生成する（ステップＳ１８）。ＣＰＵ１１は患者用画面５を通信部１６から端末装置３へ出力する（ステップＳ１９）。ＣＰＵ３１は患者用画面５を通信部３６で情報処理装置１から取得する（ステップＳ２０）。ＣＰＵ３１は患者用画面５を表示部３５に表示する（ステップＳ２１）。
【００６５】
ＣＰＵ３１は検査ボタンの入力を受け付けたか否かを判定する（ステップＳ２２）。ＣＰＵ３１は検査ボタンの入力を受け付けなかったと判定した場合（ステップＳ２２：ＮＯ）、処理をステップＳ２４に移す。ＣＰＵ３１は検査ボタンの入力を受け付けたと判定した場合（ステップＳ２２：ＹＥＳ）、検査表示画面６の表示処理を行う（ステップＳ２３）。
【００６６】
ＣＰＵ３１は手術ボタンの入力を受け付けたか否かを判定する（ステップＳ２４）。ＣＰＵ３１は手術ボタンの入力を受け付けなかったと判定した場合（ステップＳ２４：ＮＯ）、処理をステップＳ２１に移し、処理を繰り返す。ＣＰＵ３１は手術ボタンの入力を受け付けたと判定した場合（ステップＳ２４：ＹＥＳ）、手術表示画面７の表示処理を行い（ステップＳ２５）、処理をステップＳ２１に移し、処理を繰り返す。
【００６７】
図１３は本実施形態における検査表示画面６の表示処理を示したフローチャートである。ＣＰＵ３１はステップＳ２２がＹＥＳであった場合、検査表示画面６の出力要求を通信部３６から情報処理装置１へ出力する（ステップＳ３１）。ＣＰＵ１１は検査表示画面６の出力要求を通信部１６で端末装置３から取得する（ステップＳ３２）。ＣＰＵ１１は検査情報ＤＢ２２３に基づいて検査表示画面６を生成する（ステップＳ３３）。
【００６８】
ＣＰＵ１１は検査表示画面６を通信部１６で端末装置３へ出力する（ステップＳ３４）。ＣＰＵ３１は検査表示画面６を通信部３６で情報処理装置１から取得する（ステップＳ３５）。ＣＰＵ３１は検査表示画面６を表示部３５で表示する（ステップＳ３６）。
【００６９】
ＣＰＵ３１は各説明欄の入力を受け付けたか否かを判定する（ステップＳ３７）。具体的にはＣＰＵ３１は検査説明ボタン６２、前日検査説明ボタン６３または当日検査説明ボタン６４の入力を受け付けたか否かを判定する。ＣＰＵ３１は各説明欄の入力を受け付けなかったと判定した場合（ステップＳ３７：ＮＯ）、検査表示画面６の表示処理を終了し、処理をステップＳ２４に移す。ＣＰＵ３１は各説明欄の入力を受け付けたと判定した場合（ステップＳ３７：ＹＥＳ）、各説明欄に対応する検査説明メッセージ、前日検査説明メッセージまたは当日検査説明メッセージ等の説明メッセージを表示し（ステップＳ３８）、検査表示画面６の表示処理を終了し、処理をステップＳ２４に移す。
【００７０】
図１４〜１６は本実施形態における手術表示画面７等の表示処理を示したフローチャートである。ＣＰＵ３１はステップＳ２４がＹＥＳであった場合、手術表示画面７の出力要求を通信部３６から情報処理装置１へ出力する（ステップＳ４１）。ＣＰＵ１１は手術表示画面７の出力要求を通信部１６で端末装置３から取得する（ステップＳ４２）。ＣＰＵ１１は手術情報ＤＢ２２４に基づいて手術表示画面７を生成する（ステップＳ４３）。
【００７１】
ＣＰＵ１１は手術表示画面７、手術説明フラグ、前日手術説明フラグ、当日手術説明フラグおよび後日手術説明フラグを通信部１６で端末装置３へ出力する（ステップＳ４４）。ＣＰＵ３１は手術表示画面７、手術説明フラグ、前日手術説明フラグ、当日手術説明フラグおよび後日手術説明フラグを通信部３６で情報処理装置１から取得する（ステップＳ４５）。ＣＰＵ３１は手術表示画面７を表示部３５で表示する（ステップＳ４６）。
【００７２】
ＣＰＵ３１は各説明ボタンの入力を受け付けたか否かを判定する（ステップＳ４７）。具体的にはＣＰＵ３１は手術説明ボタン７２、前日手術説明ボタン７４、当日手術説明ボタン７５または後日手術説明ボタン７６の入力を受け付けたか否かを判定する。ＣＰＵ３１は各説明ボタンの入力を受け付けなかったと判定した場合（ステップＳ４７：ＮＯ）、入力を受け付けるまで待機する。ＣＰＵ３１は各説明ボタンの入力を受け付けたと判定した場合（ステップＳ４７：ＹＥＳ）、各説明ボタンに対応する手術説明メッセージ、前日手術説明メッセージ、当日手術説明メッセージまたは後日手術説明メッセージ等の説明メッセージを表示部３５に表示する（ステップＳ４８）。
【００７３】
ＣＰＵ３１は各説明メッセージに対応する説明フラグをＴＲＵＥに設定する（ステップＳ４９）。具体的にはＣＰＵ１１は手術説明メッセージ、前日手術説明メッセージ、当日手術説明メッセージまたは後日手術説明メッセージに対応する手術説明フラグ、前日手術説明フラグ、当日手術説明フラグまたは後日手術説明フラグをＴＲＵＥに設定する。
【００７４】
全ての説明フラグがＴＲＵＥであるか否かを判定する（ステップＳ５０）。具体的にはＣＰＵ３１は手術説明フラグ、前日手術説明フラグ、当日手術説明フラグおよび後日手術説明フラグがＴＲＵＥであるか否かを判定する。ＣＰＵ３１は全ての説明フラグがＴＲＵＥでないと判定した場合（ステップＳ５０：ＮＯ）、処理をステップＳ４７に移す。
【００７５】
ＣＰＵ３１は全ての説明フラグがＴＲＵＥであると判定した場合（ステップＳ５０：ＹＥＳ）、同意書面ボタン７３の入力を許可する（ステップＳ５１）。ＣＰＵ３１は同意書面ボタン７３の入力を受け付けたか否かを判定する（ステップＳ５２）。ＣＰＵ３１は同意書面ボタン７３の入力を受け付けなかったと判定した場合（ステップＳ５２：ＮＯ）、同意書面ボタン７３の入力を受け付けるまで待機する。
【００７６】
ＣＰＵ３１は同意書面ボタン７３の入力を受け付けたと判定した場合（ステップＳ５２：ＹＥＳ）、同意画面８の出力要求を通信部３６から情報処理装置１へ出力する（ステップＳ５３）。ＣＰＵ１１は同意画面８の出力要求を通信部１６で端末装置３から取得する（ステップＳ５４）。ＣＰＵ１１は医療情報ＤＢ２２１に基づいて同意画面８を生成する（ステップＳ５５）。ＣＰＵ１１は同意画面８を通信部１６で端末装置３へ出力する（ステップＳ５６）。ＣＰＵ３１は同意画面８を通信部３６で情報処理装置１から取得する（ステップＳ５７）。ＣＰＵ３１は同意画面８を表示部３５に表示する（ステップＳ５８）。
【００７７】
ＣＰＵ３１は氏名および住所のサイン画像の入力を受け付けたか否かを判定する（ステップＳ５９）。ＣＰＵ３１はサイン画像の入力を受け付けなかったと判定した場合（ステップＳ５９：ＮＯ）、サイン画像の入力を受け付けるまで待機する。ＣＰＵ３１はサイン画像の入力を受け付けたと判定した場合（ステップＳ５９：ＹＥＳ）、同意ボタン８１および非同意ボタン８２の入力を許可する（ステップＳ６０）。
【００７８】
ＣＰＵ３１は同意ボタン８１の入力を受け付けたか否かを判定する（ステップＳ６１）。ＣＰＵ３１は同意ボタン８１の入力を受け付けなかったと判定した場合（ステップＳ６１：ＮＯ）、非同意ボタン８２の入力を受け付けたか否かを判定する（ステップＳ６２）。ＣＰＵ３１は非同意ボタン８２の入力を受け付けなかったと判定した場合（ステップＳ６２：ＮＯ）、処理をステップＳ６１に移す。
【００７９】
ＣＰＵ３１は非同意ボタン８２の入力を受け付けたと判定した場合（ステップＳ６２：ＹＥＳ）、同意フラグをＦＡＬＳＥに設定し（ステップＳ６３）、手術表示画面７等の表示処理を終了し、処理をステップＳ２１に移す。ＣＰＵ３１は同意ボタン８１の入力を受け付けたと判定した場合（ステップＳ６１：ＹＥＳ）、同意フラグをＴＲＵＥに設定する（ステップＳ６４）。ＣＰＵ３１は同意メッセージを生成する（ステップＳ６５）。
【００８０】
ＣＰＵ３１は同意画面８を文書化した同意書面を生成する（ステップＳ６６）。ＣＰＵ３１は同意メッセージ、同意書面および同意フラグを通信部３６から情報処理装置１へ出力する（ステップＳ６７）。ＣＰＵ１１は同意メッセージ、同意書面および同意フラグを通信部１６で端末装置３から取得する（ステップＳ６８）。ＣＰＵ１１は同意メッセージを表示部１５に表示する（ステップＳ６９）。ＣＰＵ１１は手術情報ＤＢ２２４の同意フラグを更新する（ステップＳ７０）。ＣＰＵ１１は同意書面を記憶部１２に保存し（ステップＳ７１）、処理を終了する。またＣＰＵ３１はステップＳ６７の処理を終了した後、手術表示画面７等の表示処理を終了し、処理をステップＳ２１に移す。
【００８１】
なお、本実施形態ではＣＰＵ３１はバーコードを撮像部３７で撮像したが、バーコードリーダにより読み取ってもよい。また本実施形態は同意ボタン８２および非同意ボタン８２の入力を許可するためにサイン画像の入力を受け付けたが、バーコードを再度撮像部３７で撮像し、撮像したバーコードで認証処理を行うことで同意ボタン８２および非同意ボタン８２の入力を可能にしてもよい。なお、本実施形態では手術情報について同意画面８を生成したが、検査情報等でもよく、同意画面８は医療情報に関連するものであればよい。
【００８２】
一側面によれば、セキュリティを従来より向上させることができる。
【００８３】
一側面によれば、情報処理装置１が同意フラグを取得する。このことにより情報処理装置１を操作する看護師または医師は手術に同意があったか否かを判断することができる。
【００８４】
なお、本実施形態では情報処理装置１、医療用サーバ２および電子カルテサーバ４は別体であるが、一体であってもよい。
【００８５】
なお、本実施形態では電子カルテ４２１の情報をＳＳ−ＭＩＸを用いて医療用サーバ２を介して送受信しているが、これに限られない。例えば電子カルテサーバ４は通信網Ｎ１に接続し、ビューアで直接電子カルテ４２１の情報を情報処理装置１との間で送受信してもよい。
【００８６】
実施の形態２
実施の形態２は看護師が患者の医療情報を確認するための看護師専用画面９を表示部３５に表示する実施の形態に関する。以下、特に説明する構成、作用以外の構成および作用は実施の形態１と同等であり、簡潔のため記載を省略する。図１７は情報処理装置１、医療用サーバ２、端末装置３および電子カルテサーバ４のハードウェア群を示すブロック図である。図１７に示すように、記憶部２２はさらにＩＤ種類ＤＢ２２５およびバイタルＤＢ２２６を備える。また記憶部３２には端末装置３を識別するための端末ＩＤが記憶されている。
【００８７】
図１８はＩＤ種類ＤＢ２２５に格納されているデータの一例を示す図である。ＩＤ種類ＤＢ２２５はＩＤの種類等を記憶するデータベースである。ＩＤ種類ＤＢ２２５はＩＤ列およびＩＤ種類列を備える。ＩＤ列にはＩＤが記憶される。ＩＤ種類列にはＩＤにより識別されるユーザの種類が記憶される。ＩＤ種類列には例えば、患者ＩＤ、看護師ＩＤまたは医師ＩＤ等が記憶される。患者ＩＤとは患者を識別するためのＩＤであることを示す。看護師ＩＤとは看護師を識別するためのＩＤであることを示す。医師ＩＤとは医師を識別するためのＩＤであることを示す。ＩＤ種類ＤＢ２２５は看護師または医師により入力部２４であらかじめ記憶されている。
【００８８】
図１９はバイタルＤＢ２２６に格納されているデータの一例を示す図である。バイタルＤＢ２２６はバイタル等を記憶するデータベースである。バイタルとは患者の状態を表す情報であり、例えば、体温、呼吸数、最高血圧、最低血圧、脈拍数または動脈内の酸素濃度等である。すなわち、バイタルとは患者の生命に対する基本的な情報である。バイタルＤＢ２２６は患者ＩＤ列、医療年月日列、医療時刻列、体温列、呼吸数列、最高血圧列、最低血圧列、脈拍数列および酸素濃度列を備える。患者ＩＤ列には患者ＩＤが記憶される。医療年月日列には医療年月日が記憶される。医療時刻列にはバイタルを取得した時刻を示す医療時刻（取得時間）が記憶される。体温列には患者ＩＤ、医療年月日および医療時刻に対応づけられた体温が記憶される。呼吸数列には患者ＩＤ、医療年月日および医療時刻に対応づけられた呼吸数が記憶される。最高血圧列には患者ＩＤ、医療年月日および医療時刻に対応づけられた最高血圧が記憶される。最低血圧列には患者ＩＤ、医療年月日および医療時刻に対応づけられた最低血圧が記憶される。脈拍数列には患者ＩＤ、医療年月日および医療時刻に対応づけられた脈拍数が記憶される。酸素濃度列には患者ＩＤ、医療年月日および医療時刻に対応づけられた酸素濃度が記憶される。バイタルＤＢ２２６の記憶方法は後述する。なお、バイタルＤＢ２２６の各列は対応づけられている。
【００８９】
本実施形態における情報処理システムを説明する。ＣＰＵ３１が患者用画面５を表示部３５に表示した後、看護師が自身のリストバンドに記載されたバーコードを撮像部３７で撮像する。ＣＰＵ３１は撮像部３７で撮像されたバーコードを取得する。ＣＰＵ３１はバーコードを看護師ＩＤ「Ｎ０００１」に変換する。ＣＰＵ３１は看護師ＩＤ「Ｎ０００１」を通信部３６から医療用サーバ２へ出力する。
【００９０】
ＣＰＵ２１は看護師ＩＤ「Ｎ０００１」を通信部２６で端末装置３から取得する。ＣＰＵ２１は取得した看護師ＩＤ「Ｎ０００１」ならびに記憶部２２に記憶された医療情報ＤＢ２２１、予定情報ＤＢ２２２、検査情報ＤＢ２２３、手術情報ＤＢ２２４、ＩＤ種類ＤＢ２２５およびバイタルＤＢ２２６を通信部２６から情報処理装置１へ出力する。ＣＰＵ１１は看護師ＩＤ「Ｎ０００１」、医療情報ＤＢ２２１、予定情報ＤＢ２２２、検査情報ＤＢ２２３、手術情報ＤＢ２２４、ＩＤ種類ＤＢ２２５およびバイタルＤＢ２２６を通信部１６で医療用サーバ２から取得する。なお、ＣＰＵ１１はＲＡＭ１３に看護師ＩＤを一時的に記憶している。また、ＣＰＵ１１は記憶部１２にあらかじめ看護師ＩＤを記憶してもよい。
【００９１】
ＣＰＵ１１はＩＤ種類ＤＢ２２５を参照し、看護師ＩＤ「Ｎ０００１」が記憶されているか否かを判定する。ＣＰＵ１１はＩＤ種類ＤＢ２２５に看護師ＩＤ「Ｎ０００１」が記憶されていると判定する。ＣＰＵ１１はＩＤ種類ＤＢ２２５を参照し、看護師ＩＤ「Ｎ０００１」のＩＤ種類が「看護師ＩＤ」であるか否かを判定する。ＣＰＵ１１はＩＤ「Ｎ０００１」のＩＤ種類が「看護師ＩＤ」であると判定する。
【００９２】
ＣＰＵ１１は看護師専用画面９を生成する。ＣＰＵ１１は看護師専用画面９を通信部１６から端末装置３へ出力する。ＣＰＵ３１は看護師専用画面９を通信部３６で情報処理装置１から取得する。ＣＰＵ３１は看護師専用画面９を表示部３５に表示する。
【００９３】
図２０は看護師専用画面９を説明する説明図である。看護師専用画面９は左部に設けられた看護支援記録ボタン９１と、看護支援記録ボタン９１の右上部に設けられたバイタルボタン９２と、バイタルボタン９２の右部に設けられた切り替えボタン９３とを備える。
【００９４】
看護支援記録ボタン９１は患者のバイタルの変化を表示するための看護支援記録画面（変化画面）１１０を表示するためのボタンである。看護支援記録画面１１０は電子カルテ４２１を表示する場合に、一般的に用いられる画面である。看護師は看護支援記録画面１１０を用いることで見慣れた画面で作業をすることができるため、作業効率を上げることができる。バイタルボタン９２は患者のバイタルを入力するためのバイタル画面（入力画面）１０を表示するためのボタンである。切り替えボタン９３はリハビリ、与薬、検査、手術および処置ボタンを備える。
【００９５】
以下、看護師専用画面９の動作を説明する。看護師が入力部３４でバイタルボタン９２をタッチする。ＣＰＵ３１はバイタルボタン９２の入力を受け付ける。ＣＰＵ３１はバイタル画面１０の出力要求を通信部３６から情報処理装置１へ出力する。ＣＰＵ１１はバイタル画面１０の出力要求を通信部１６で端末装置３から取得する。ＣＰＵ１１はバイタル画面１０を生成する。ＣＰＵ１１はバイタル画面１０を通信部１６から端末装置３へ出力する。ＣＰＵ３１はバイタル画面１０を通信部３６で情報処理装置１から取得する。ＣＰＵ３１はバイタル画面１０を表示部３５に表示する。
【００９６】
看護師が入力部３４で看護支援記録ボタン９１をタッチする。ＣＰＵ３１は看護支援記録ボタン９１の入力を受け付ける。ＣＰＵ３１は看護支援記録画面１１０の出力要求を通信部３６から情報処理装置１へ出力する。ＣＰＵ１１は看護支援記録画面１１０の出力要求を通信部１６で端末装置３から取得する。ＣＰＵ１１はバイタルＤＢ２２６に基づいて看護支援記録画面１１０を生成する。ＣＰＵ１１は看護支援記録画面１１０を通信部１６から端末装置３へ出力する。ＣＰＵ３１は看護支援記録画面１１０を通信部３６で情報処理装置１から取得する。ＣＰＵ３１は看護支援記録画面１１０を表示部３５に表示する。切り替えボタン９３は切り替えボタン６５と同様の動作であり、簡潔のため記載を省略する。
【００９７】
図２１はバイタル画面１０を説明する説明図である。バイタル画面１０は上部に設けられた医療日時欄１０１と、医療日時欄１０１の左下部に設けられた体温欄１０２と、体温欄１０２の右部に設けられた呼吸数欄１０３と、体温欄１０２の下部に設けられた最高血圧欄１０４と、最高血圧欄１０４の右部に設けられた最低血圧欄１０５と、最高血圧欄１０４の下部に設けられた脈拍欄１０６と、脈拍欄１０６の右部に設けられた酸素濃度欄１０７と、右下部に設けられた登録ボタン１０８とを備える。
【００９８】
医療日時欄１０１は医療年月日および医療を行う医療時刻の入力を受け付けるための欄である。体温欄１０２は体温の入力を受け付けるための欄である。呼吸数欄１０３は呼吸数の入力を受け付けるための欄である。最高血圧欄１０４は最高血圧の入力を受け付けるための欄である。最低血圧欄１０５は最低血圧の入力を受け付けるための欄である。脈拍欄１０６は脈拍数の入力を受け付けるための欄である。酸素濃度欄１０７は酸素濃度の入力を受け付けるための欄である。登録ボタン１０８は入力されたバイタルを電子カルテ４２１に登録するためのボタンである。なお、体温欄１０２、呼吸数欄１０３、最高血圧欄１０４、最低血圧欄１０５、脈拍欄１０６および酸素濃度欄１０７の夫々の単位は、セルシウス度、回数、ＭｍＨｇ（水銀柱ミリメートル）、ＭｍＨｇ、１分あたりの回数およびパーセントである。
【００９９】
以下、バイタル画面１０の動作を説明する。看護師が自身の時計を見て、入力部３４で医療日時欄１０１をタッチし、現在の医療年月日「２０１５年８月２０日」および医療時刻「９時００分」を入力部３４で入力する。ＣＰＵ３１は医療年月日「２０１５年８月２０日」および医療時刻「９時００分」の入力を受け付ける。なお、端末装置３に内蔵された計時部（図示せず）から自動的に医療年月日および医療時刻を取得してもよい。
【０１００】
看護師が患者の体温「３７．０」を医療器具で測る。看護師が入力部３４で体温欄１０２をタッチし、体温「３７．０」を入力部３４で入力する。ＣＰＵ３１は体温「３７．０」の入力を受け付ける。看護師が患者の呼吸数「６０」を医療器具で測る。看護師が入力部３４で呼吸数欄１０３をタッチし、呼吸数「６０」を入力部３４で入力する。ＣＰＵ３１は呼吸数「６０」の入力を受け付ける。
【０１０１】
看護師が医療器具で患者の最高血圧「１３０」を測る。看護師が入力部３４で最高血圧欄１０４をタッチし、最高血圧「１３０」を入力部３４で入力する。ＣＰＵ３１は最高血圧「１３０」の入力を受け付ける。看護師が患者の最低血圧「６０」を測る。看護師が入力部３４で最低血圧欄１０５をタッチし、最低血圧「６０」を入力部３４で入力する。ＣＰＵ３１は最低血圧「６０」の入力を受け付ける。
【０１０２】
看護師が医療器具で患者の脈拍数「７５」を測る。看護師が入力部３４で脈拍欄１０６をタッチし、脈拍数「７５」を入力部３４で入力する。ＣＰＵ３１は脈拍数「７５」の入力を受け付ける。看護師が医療器具で患者の酸素濃度「９６」を測る。看護師が入力部３４で酸素濃度欄１０７をタッチし、酸素濃度「９６」を入力部３４で入力する。ＣＰＵ３１は酸素濃度「９６」の入力を受け付ける。
【０１０３】
看護師が登録ボタン１０８を入力部３４でタッチした場合、ＣＰＵ３１は医療年月日「２０１５年８月２０日」、医療時刻「９時００分」、体温「３７．０」、呼吸数「６０」、最高血圧「１３０」、最低血圧「６０」、脈拍数「７５」および酸素濃度「９６」等のバイタルを通信部３６から医療用サーバ２へ出力する。ＣＰＵ２１は医療年月日「２０１５年８月２０日」、医療時刻「９時００分」、体温「３７．０」、呼吸数「６０」、最高血圧「１３０」、最低血圧「６０」、脈拍数「７５」および酸素濃度「９６」等のバイタルを通信部２６で端末装置３から取得する。ＣＰＵ２１はバイタルＤＢ２２６に各バイタルを記憶する。ＣＰＵ２１はバイタルを通信部２６から電子カルテサーバ４へ出力する。ＣＰＵ４１はバイタルを通信部４６で医療用サーバ２から取得する。ＣＰＵ４１は電子カルテ４２１にバイタルを記憶する。ＣＰＵ４１は電子カルテ４２１内に記憶されたバイタルに基づいて看護支援記録画面１１０を生成する。
【０１０４】
図２２は看護支援記録画面１１０を説明する説明図である。看護支援記録画面１１０は上部に設けられたバイタルグラフ１２０と、バイタルグラフ１２０の下部に設けられた体温欄１３０と、体温欄１３０の下部に設けられた脈拍数欄１４０と、脈拍数欄１４０の下部に設けられた最高血圧欄１５０と、最高血圧欄１５０の下部に設けられた最低血圧欄１６０と、右部に設けられた患者ＩＤ欄１７０と、患者ＩＤ欄１７０の上部に設けられた医療年月日欄１８０とを備える。体温欄１３０は体温表示するための欄である。脈拍数欄１４０は脈拍数を表示するための欄である。最高血圧欄１５０は最高血圧を表示するための欄である。最低血圧欄１６０は最低血圧欄を表示するための欄である。患者ＩＤ欄１７０は患者のＩＤを表示するための欄である。医療年月日欄１８０は医療年月日を切り替えるための欄である。バイタルグラフ１２０は患者のバイタル変化を表示したグラフである。バイタルグラフ１２０の実線は体温のグラフである。バイタルグラフ１２０の破線は脈拍数のグラフである。バイタルグラフ１２０の一点鎖線は最高血圧のグラフである。バイタルグラフ１２０の二点鎖線は最低血圧のグラフである。看護支援記録画面１１０は電子カルテ上においてバイタルを表示する一般的な画面である。看護支援記録画面１１０を表示することで看護師は電子カルテと同じように患者のバイタルを確認することができる。
【０１０５】
看護支援記録画面１１０の動作は以下の通りである。看護師が患者ＩＤ欄１７０の患者ＩＤ「００１」を入力部３４でタッチした場合、ＣＰＵ３１はバイタルグラフ１２０、体温欄１３０、脈拍数欄１４０、最高血圧欄１５０、最低血圧欄１６０および患者ＩＤ欄１７０を患者ＩＤ「００１」に対応する看護支援記録画面１１０に切り替える。看護師が医療年月日欄１８０の医療年月日を入力部３４で「２０１５年８月２０日」に切り替えた場合、ＣＰＵ３１は「２０１５年８月２０日」に対応する看護支援記録画面１１０に切り替える。ＣＰＵ４１は本日、電子カルテ４２１内に記憶されたバイタルに基づいて看護支援記録画面１１０を生成する。また、看護師が医療年月日「２０１５年８月１８日」に切り替えた場合、ＣＰＵ３１は「２０１５年８月１８日」に対応する看護支援記録画面１１０に切り替える。ＣＰＵ４１は過去に電子カルテ４２１内に記憶されたバイタルに基づいて看護支援記録画面１１０を生成する。このように、ＣＰＵ３１が医療年月日欄１８０の表示を切り替えることでＣＰＵ４１は現在および過去に記録したバイタルの看護支援記録画面１１０を生成することができる。またＣＰＵ４１はバイタル画面１０で入力されたバイタルだけでなく、あらかじめ診察時等に電子カルテ４２１内に記録されたバイタルに基づいて看護支援記録画面１１０を生成してもよい。
【０１０６】
患者ＩＤ「００１」に対応する看護支援記録画面１１０の生成方法は以下の通りである。ＣＰＵ４１はバイタルＤＢ２２６を通信部４６で医療用サーバ２から取得する。ＣＰＵ４１は取得したバイタルＤＢ２２６に基づいて電子カルテ４２１を更新する。ＣＰＵ４１は電子カルテ４２１に記憶されたバイタルを参照し、体温欄１３０、脈拍数欄１４０、最高血圧欄１５０、最低血圧欄１６０および患者ＩＤ欄１７０に体温、脈拍数、最高血圧、最低血圧および患者ＩＤを生成する。ＣＰＵ１１は体温、脈拍数、最高血圧および最低血圧の時系列のグラフをバイタルグラフ１２０に生成する。
【０１０７】
具体例として体温のグラフの生成方法を以下に述べる。ＣＰＵ４１は電子カルテ４２１内のバイタルを参照する。電子カルテ４２１内のバイタルのデータ構成はバイタルＤＢ２２６と同様であり、簡潔のため、図１９を参照する。図１９に示すように、ＣＰＵ４１は患者ＩＤ「００１」の医療時刻「９：００」に対応する体温「３７．０」、医療時刻「１０：００」に対応する体温「３７．０」、医療時刻「１１：００」に対応する体温「３７．０」、医療時刻「１２：００」に対応する体温「３６．７」、医療時刻「１３：００」に対応する体温「３６．５」をバイタルグラフ１２０上にプロットし、線で結ぶことでグラフを生成する。以下脈拍数、最高血圧および最低血圧ともに同様であり、簡潔のため記載を省略する。
【０１０８】
ＣＰＵ３１は医療用サーバ２および情報処理装置１を介して看護支援記録画面１１０を取得し、表示部３５に表示する。
【０１０９】
図２３〜２６は本実施形態における情報処理システムの処理手順を示したフローチャートである。ステップＳ１１〜Ｓ７０の処理は上述の実施の形態１に係る情報処理システムと同様であるので、簡潔のため説明を省略する。ＣＰＵ３１がステップＳ２１の処理を終了した後、看護師が自身の認証カードに記載されたバーコードを撮像部３７で撮像する。ＣＰＵ３１は撮像部３７で撮像されたバーコードを取得する（ステップＳ８０）。ＣＰＵ３１はバーコードをＩＤに変換する（ステップＳ８１）。ＣＰＵ３１はＩＤを通信部３６から医療用サーバ２へ出力する（ステップＳ８２）。ＣＰＵ２１はＩＤを通信部２６で端末装置３から取得する（ステップＳ８３）。
【０１１０】
ＣＰＵ２１は取得した看護師ＩＤならびに記憶部２２に記憶された医療情報ＤＢ２２１、予定情報ＤＢ２２２、検査情報ＤＢ２２３、手術情報ＤＢ２２４、ＩＤ種類ＤＢ２２５およびバイタルＤＢ２２６を通信部２６から情報処理装置１へ出力する（ステップＳ８４）。ＣＰＵ１１は看護師ＩＤ、医療情報ＤＢ２２１、予定情報ＤＢ２２２、検査情報ＤＢ２２３、手術情報ＤＢ２２４、ＩＤ種類ＤＢ２２５およびバイタルＤＢ２２６を通信部１６で取得する（ステップＳ８５）。
【０１１１】
ＣＰＵ１１はＩＤがＩＤ種類ＤＢ２２５に記憶されているか否かを判定する（ステップＳ８６）。ＣＰＵ１１はＩＤがＩＤ種類ＤＢ２２５に記憶されていないと判定した場合（ステップＳ８６：ＮＯ）、処理を終了する。ＣＰＵ１１はＩＤがＩＤ種類ＤＢ２２５に記憶されていると判定した場合（ステップＳ８６：ＹＥＳ）、ＩＤ種類が看護師ＩＤであるか否かを判定する（ステップＳ８７）。
【０１１２】
ＣＰＵ１１はＩＤの種類が看護師ＩＤでないと判定した場合（ステップＳ８７：ＮＯ）、処理をステップＳ１７に移す。ＣＰＵ２１はＩＤの種類が看護師ＩＤであると判定した場合（ステップＳ８７：ＹＥＳ）、看護師専用画面９を生成する（ステップＳ８８）。ＣＰＵ１１は看護師専用画面９を通信部１６から端末装置３へ出力する（ステップＳ８９）。ＣＰＵ３１は看護師専用画面９を通信部３６で情報処理装置１から取得する（ステップＳ９０）。ＣＰＵ３１は看護師専用画面９を表示部３５に表示する（ステップＳ９１）。
【０１１３】
ＣＰＵ３１はバイタルボタン９２の入力を受け付けたか否かを判定する（ステップＳ９２）。ＣＰＵ３１はバイタルボタン９２の入力を受け付けなかったと判定した場合（ステップＳ９２：ＮＯ）、処理をステップＳ１０８に移す。ＣＰＵ３１はバイタルボタン９２の入力を受け付けたと判定した場合（ステップＳ９２：ＹＥＳ）、バイタル画面１０の出力要求を通信部３６から情報処理装置１へ出力する（ステップＳ９３）。
【０１１４】
ＣＰＵ１１はバイタル画面１０の出力要求を通信部１６で端末装置３から取得する（ステップＳ９４）。ＣＰＵ１１はバイタル画面１０を生成する（ステップＳ９５）。ＣＰＵ１１はバイタル画面１０を通信部１６から端末装置３へ出力する（ステップＳ９６）。ＣＰＵ３１はバイタル画面１０を通信部３６で情報処理装置１から取得する（ステップＳ９７）。ＣＰＵ３１はバイタル画面１０を表示部３５に表示する（ステップＳ９８）。
【０１１５】
ＣＰＵ３１はバイタルの入力を受け付ける（ステップＳ９９）。ＣＰＵ３１は入力を受け付けたバイタルを通信部３６から医療用サーバ２へ出力する（ステップＳ１００）。ＣＰＵ２１はバイタルを通信部２６で端末装置３から取得する（ステップＳ１０１）。ＣＰＵ２１はバイタルＤＢ２２６を更新する（ステップＳ１０２）。
【０１１６】
ＣＰＵ２１はバイタルＤＢ２２６を通信部２６から電子カルテサーバ４へ出力する（ステップＳ１０３）。ＣＰＵ４１はバイタルＤＢ２２６を通信部４６で医療用サーバ２から取得する（ステップＳ１０４）。ＣＰＵ４１は取得したバイタルＤＢ２２６に基づいて電子カルテ４２１を更新する（ステップＳ１０５）。ＣＰＵ４１は電子カルテ４２１に基づいて看護支援記録画面１１０を生成する（ステップＳ１０６）。ＣＰＵ４１は電子カルテ４２１に看護支援記録画面１１０を記憶し（ステップＳ１０７）、処理を終了する。
【０１１７】
ＣＰＵ３１はステップＳ１００の処理を終了した後、看護支援記録ボタン９１の入力を受け付けたか否かを判定する（ステップＳ１０８）。ＣＰＵ３１は看護支援記録ボタン９１の入力を受け付けなかったと判定した場合（ステップＳ１０８：ＮＯ）、ステップＳ９２に処理を移す。ＣＰＵ３１は看護支援記録ボタン９１の入力を受け付けたと判定した場合（ステップＳ１０８：ＹＥＳ）、看護支援記録画面１１０の出力要求を通信部３６から情報処理装置１へ出力する（ステップＳ１０９）。ＣＰＵ１１は看護支援記録画面１１０の出力要求を通信部１６で端末装置３から取得する（ステップＳ１１０）。
【０１１８】
ＣＰＵ１１は看護支援記録画面１１０の出力要求を通信部１６から医療用サーバ２を介して電子カルテサーバ４へ出力する（ステップＳ１１１）。ＣＰＵ４１は看護支援記録画面１１０の出力要求を通信部４６で医療用サーバ２を介して情報処理装置１から取得する（ステップＳ１１２）。ＣＰＵ４１は電子カルテ４２１を参照する（ステップＳ１１３）。
【０１１９】
ＣＰＵ４１は電子カルテ４２１内の看護支援記録画面１１０を取得する（ステップＳ１１４）。ＣＰＵ４１は看護支援記録画面１１０を通信部１６から端末装置３へ出力する（ステップＳ１１５）。ＣＰＵ３１は看護支援記録画面１１０を通信部３６で情報処理装置１から取得する（ステップＳ１１６）。
【０１２０】
ＣＰＵ１１は看護支援記録画面１１０を通信部１６から端末装置３へ出力する（ステップＳ１１７）。ＣＰＵ３１は看護支援記録画面１１０を通信部３６で情報処理装置１から取得する（ステップＳ１１８）。ＣＰＵ３１は看護支援記録画面１１０を表示部３５に表示する（ステップＳ１１９）。ＣＰＵ３１は入力部３４で看護師専用画面９等の表示処理の終了処理を行い（ステップＳ１２０）、ステップＳ２３に処理を移す。
【０１２１】
一側面によれば、ＣＰＵ３１はバイタル画面１０でバイタルの入力を受け付けることができる。このことにより、看護師または医師が端末装置３で容易にバイタルの入力を行うことができる。
【０１２２】
一側面によれば、ＣＰＵ３１は看護支援記録画面１１０に表示する。このため、看護師は見慣れた画面で作業をすることができるため、作業効率を上げることができる。
【０１２３】
なお、本実施形態では看護師ＩＤであると判定した場合、看護師専用画面９、バイタル画面１０および看護支援記録画面１１０を表示したが、医師ＩＤであると判定した場合に看護師専用画面９、バイタル画面１０および看護支援記録画面１１０を表示してもよい。
【０１２４】
実施の形態３
実施の形態３は治療の経過を時系列順に説明するためのクリニカルパスを表示部３５に表示する実施の形態に関する。以下、特に説明する構成、作用以外の構成および作用は実施の形態１と同等であり、簡潔のため記載を省略する。図２７は情報処理装置１、医療用サーバ２、端末装置３および電子カルテサーバ４のハードウェア群を示すブロック図である。図２７に示すように記憶部１２には医療情報とピクトグラムとの対応関係を示すピクトグラムＤＢ１２１が記憶される。
【０１２５】
図２８はピクトグラムＤＢ１２１に格納されているデータの一例を示す図である。ピクトグラムＤＢ１２１はピクトグラム等を記憶するデータベースである。ピクトグラムＤＢ１２１は医療情報列およびピクトグラム列を備える。医療情報列には医療情報が記憶される。ピクトグラム列にはピクトグラムが記憶される。ピクトグラムＤＢ１２１の各列はあらかじめ製品納入時に登録されている。なお、ピクトグラムＤＢ１２１の各列はあらかじめ対応づけられている。
【０１２６】
図２９はクリニカルパスを表示するクリニカルパス画面２０を示す説明図である。クリニカルパス画面２０は入院日列、手術前日列、手術当日列、手術後日列および退院日列ならびに手術行、検査行および処置行を備える。クリニカルパス画面２０は手術行の手術当日列に手術マーク２０１を備える。クリニカルパス画面２０は検査行の手術後日列にＣＴ検査マーク２０２を備える。クリニカルパス画面２０は処置行の手術前日列に処置マーク２０３を備える。
【０１２７】
入院日列、手術前日列、手術当日列、手術後日列および退院日列は夫々、８月１７日、８月１８日、８月１９日、８月２０日および８月２１日に対応している。手術マーク２０１は手術を示す。ＣＴ検査マーク２０２はＣＴ検査を示す。処置マーク２０３は処置を示す。
【０１２８】
以下、クリニカルパス画面２０の生成方法を説明する。ＣＰＵ１１はピクトグラムＤＢ１２１、医療情報ＤＢ２２１および予定情報ＤＢ２２２を参照する。図４に示すように、ＣＰＵ１１は医療年月日列の２０１５年８月１８日の医療情報が止血処置であるため、図２７に示すように、止血処置に対応するピクトグラムＡを特定する。図３に示すように、止血処置は処置情報であるため、ＣＰＵ１１は特定したピクトグラムＡを８月１８日列の処置行の処置マーク２０３に生成する。図４に示すように、ＣＰＵ１１は医療年月日列の２０１５年８月１９日の医療情報が開腹手術であるため、図２８に示すように、開腹手術に対応するピクトグラムＢを特定する。図３に示すように、開腹手術は手術情報であるため、ＣＰＵ１１は特定したピクトグラムＢを８月１９日列の手術行の手術マーク２０１に生成する。図４に示すように、ＣＰＵ１１は医療年月日列の２０１５年８月２０日の医療情報がＣＴ検査を含んでいるため、図２８に示すように、ＣＴ検査に対応するピクトグラムＣを特定する。図３に示すように、ＣＴ検査は検査情報であるため、ＣＰＵ１１は特定したピクトグラムＣを８月２０日列の検査行のＣＴ検査マーク２０２に生成する。
【０１２９】
以下、クリニカルパス画面２０の動作を説明する。患者が例えば、ＣＴ検査マーク２０２のピクトグラムＣを入力部３４でタッチした場合、タッチしたピクトグラムＣを通信部３６から情報処理装置１へ出力する。
【０１３０】
ＣＰＵ１１はピクトグラムＣを通信部１６で端末装置３から取得する。ＣＰＵ１１はピクトグラムＤＢ１２１を参照する。ＣＰＵ１１はピクトグラムＤＢ１２１に基づいてピクトグラムＣに対応するＣＴ検査を特定する。
【０１３１】
ＣＰＵ１１は医療情報ＤＢ２２１に基づいて特定した医療情報が手術情報であるか否かを判定する。ＣＰＵ１１は特定した医療情報がＣＴ検査であるため、特定した医療情報が手術情報でないと判定する。ＣＰＵ１１は特定したＣＴ検査に対応する検査表示画面６を生成する。ＣＰＵ１１は生成した検査表示画面６を通信部１６で端末装置３へ出力する。ＣＰＵ３１は検査表示画面６を通信部３６で情報処理装置１から取得する。ＣＰＵ３１は検査表示画面６を表示部３５に表示する。以下、実施の形態１と同様であり、簡潔のため記載を省略する。
【０１３２】
患者が例えば、手術マーク２０１のピクトグラムＢを入力部３４でタッチした場合、タッチしたピクトグラムＢを通信部３６から情報処理装置１へ出力する。ＣＰＵ１１はピクトグラムＢを通信部１６で端末装置３から取得する。ＣＰＵ１１はピクトグラムＤＢ１２１を参照する。ＣＰＵ１１はピクトグラムＤＢ１２１に基づいてピクトグラムＢに対応する開腹手術を特定する。
【０１３３】
ＣＰＵ１１は特定した開腹手術が手術情報であるため、特定した医療情報が手術情報であると判定する。ＣＰＵ１１は医療情報ＤＢ２２１に基づいて特定した開腹手術の同意画面８を生成する。ＣＰＵ１１は生成した同意画面８を通信部１６で端末装置３へ出力する。ＣＰＵ３１は同意画面８を通信部３６で情報処理装置１から取得する。ＣＰＵ３１は同意画面８を表示部３５に表示する。なお、本実施形態におけるＣＰＵ１１は同意画面８を生成したが、手術表示画面７を生成してもよい。以下、実施の形態１と同様であり、簡潔のため記載を省略する。
【０１３４】
図３０〜３２は本実施形態における情報処理システムの処理手順を示したフローチャートである。ＣＰＵ３１はクリニカルパス画面２０を出力する所定の操作の入力を入力部３４で受け付けたか否かを判定する（ステップＳ１２１）。ＣＰＵ３１は所定の操作の入力を入力部３４で受け付けなかったと判定した場合（ステップＳ１２１：ＮＯ）、所定の操作があるまで待機する。ＣＰＵ３１は所定の操作の入力を入力部３４で受け付けたと判定した場合（ステップＳ１２１：ＹＥＳ）、クリニカルパス画面２０の出力要求を通信部３６から情報処理装置１へ出力する（ステップＳ１２２）。ＣＰＵ１１はクリニカルパス画面２０の出力要求を通信部１６で端末装置３から取得する（ステップＳ１２３）。ＣＰＵ１１はピクトグラムＤＢ１２１、医療情報ＤＢ２２１および予定情報ＤＢ２２２を参照する（ステップＳ１２４）。
【０１３５】
ＣＰＵ１１はピクトグラムＤＢ１２１および予定情報ＤＢ２２２に基づいてピクトグラムを特定する（ステップＳ１２５）。ＣＰＵ１１は医療情報ＤＢ２２１に基づいて特定したピクトグラムに対応する医療年月日および医療情報の種類に生成することでクリニカルパス画面２０を生成する（ステップＳ１２６）。ＣＰＵ１１はクリニカルパス画面２０を通信部１６から端末装置３へ出力する（ステップＳ１２７）。ＣＰＵ３１はクリニカルパス画面２０を通信部３６で情報処理装置１から取得する（ステップＳ１２８）。ＣＰＵ３１はクリニカルパス画面２０を表示部３５に表示する（ステップＳ１２９）。
【０１３６】
ＣＰＵ３１は入力部３４でピクトグラムをタッチしたか否かを判定する（ステップＳ１３０）。ＣＰＵ３１は入力部３４でピクトグラムをタッチしなかったと判定した場合（ステップＳ１３０：ＮＯ）、ピクトグラムをタッチするまで待機する。ＣＰＵ３１は入力部３４でピクトグラムをタッチしたと判定した場合（ステップＳ１３０：ＹＥＳ）、タッチしたピクトグラムを通信部３６から情報処理装置１へ出力する（ステップＳ１３１）。
【０１３７】
ＣＰＵ１１はピクトグラムを通信部１６で端末装置３から取得する（ステップＳ１３２）。ＣＰＵ１１はピクトグラムＤＢ１２１を参照する（ステップＳ１３３）。ＣＰＵ１１はピクトグラムＤＢ１２１に基づいてピクトグラムに対応する医療情報を特定する（ステップＳ１３４）。
【０１３８】
ＣＰＵ１１は医療情報ＤＢ２２１に基づいて特定した医療情報が手術情報であるか否かを判定する（ステップＳ１３５）。ＣＰＵ１１は特定した医療情報が手術情報であると判定した場合（ステップＳ１３５：ＹＥＳ）、医療情報ＤＢ２２１に基づいて同意画面８を生成する（ステップＳ１３６）。ＣＰＵ１１は生成した同意画面８を通信部１６で端末装置３へ出力する（ステップＳ１３７）。ＣＰＵ３１は同意画面８を通信部３６で情報処理装置１で取得する（ステップＳ１３８）。ＣＰＵ３１は同意画面８を表示部３５に表示し（ステップＳ１３９）、処理をステップＳ５９に移す。
【０１３９】
ＣＰＵ１１は特定した医療情報が手術情報でないと判定した場合（ステップＳ１３５：ＮＯ）、特定した医療情報に対応する医療画面を生成する（ステップＳ１４０）。ＣＰＵ１１は生成した医療画面を通信部１６で端末装置３へ出力する（ステップＳ１４１）。ＣＰＵ３１は医療画面を通信部３６で情報処理装置１から取得する（ステップＳ１４２）。ＣＰＵ３１は医療画面を表示部３５に表示する（ステップＳ１４３）。以下、実施の形態１の各医療画面に対応する処理を実施し（ステップＳ１４４）、処理を終了する。
【０１４０】
一側面によれば、ＣＰＵ３１はクリニカルパス画面２０で時系列でピクトグラムを表示部３５に表示することで、患者の予定を容易に理解することができる。
【０１４１】
実施の形態４
実施の形態４は医師が患者の医療情報を確認するための医師専用画面３０を表示部３５に表示する実施の形態に関する。以下、特に説明する構成、作用以外の構成および作用は実施の形態２と同等であり、簡潔のため記載を省略する。図３３は情報処理装置１、医療用サーバ２、端末装置３および電子カルテサーバ４のハードウェア群を示すブロック図である。記憶部２２にはさらに画像データＤＢ２２７が記憶されている。
【０１４２】
図３４は画像データＤＢ２２７に格納されているデータの一例を示す図である。画像データＤＢ２２７はレントゲン画像、内視鏡画像、ＣＴ画像、ＢＲＩ画像または超音波画像等の画像データを記憶するデータベースである。画像データＤＢ２２７は患者ＩＤ列、医療年月日列および画像データ列等を備える。患者ＩＤ列には患者ＩＤが記憶される。医療年月日列には医療年月日が記憶される。画像データ列には患者ＩＤおよび医療年月日に対応付けられた画像データが記憶される。
【０１４３】
画像データＤＢ２２７の記憶方法は以下の通りである。ＣＰＵ２１は電子カルテ４２１から通信部１６で医療年月日および画像データを取得する。ＣＰＵ２１は取得した医療年月日および画像データを患者ＩＤに対応づけて画像データＤＢ２２７に記憶する。
【０１４４】
本実施形態における情報処理システムを説明する。ＣＰＵ３１が患者用画面５を表示部３５に表示した後、医師が自身のＩＣカードをカードリーダにタッチする。ＣＰＵ３１はＩＣカードから医師ＩＤ「Ｄ０００２」をカードリーダで取得する。ＣＰＵ３１は医師ＩＤ「Ｄ０００２」を通信部３６から医療用サーバ２へ出力する。
【０１４５】
ＣＰＵ２１は医師ＩＤ「Ｄ０００２」を通信部２６で端末装置３から取得する。ＣＰＵ２１は取得した医師ＩＤ「Ｄ０００２」ならびに記憶部２２に記憶された医療情報ＤＢ２２１、予定情報ＤＢ２２２、検査情報ＤＢ２２３、手術情報ＤＢ２２４、ＩＤ種類ＤＢ２２５およびバイタルＤＢ２２６を通信部２６から情報処理装置１へ出力する。ＣＰＵ１１は医師ＩＤ「Ｄ０００２」、医療情報ＤＢ２２１、予定情報ＤＢ２２２、検査情報ＤＢ２２３、手術情報ＤＢ２２４、ＩＤ種類ＤＢ２２５およびバイタルＤＢ２２６を通信部１６で医療用サーバ２から取得する。なお、ＣＰＵ１１はＲＡＭ１３に医師ＩＤを一時的に記憶している。また、ＣＰＵ１１は記憶部１２に医師ＩＤを記憶してもよい。
【０１４６】
ＣＰＵ１１はＩＤ種類ＤＢ２２５を参照し、医師ＩＤ「Ｄ０００２」が記憶されているか否かを判定する。図１８に示すように、ＣＰＵ１１はＩＤ種類ＤＢ２２５に医師ＩＤ「Ｄ０００２」が記憶されていると判定する。ＣＰＵ１１はＩＤ種類ＤＢ２２５を参照し、医師ＩＤ「Ｄ０００２」のＩＤ種類が「医師ＩＤ」であるか否かを判定する。ＣＰＵ１１は医師ＩＤ「Ｄ０００２」のＩＤ種類が「医師ＩＤ」であると判定する。
【０１４７】
ＣＰＵ１１は医師専用画面３０を生成する。ＣＰＵ１１は医師専用画面３０を通信部１６から端末装置３へ出力する。ＣＰＵ３１は医師専用画面３０を通信部３６で情報処理装置１から取得する。ＣＰＵ３１は医師専用画面３０を表示部３５に表示する。
【０１４８】
図３５は医師専用画面３０を説明する説明図である。医師専用画面３０は左部に設けられた画像データボタン３０１と、画像データボタン３０１の右部に設けられた切り替えボタン３０２とを備える。画像データボタン３０１は画像を選択するための画像選択画面４０を表示するためのボタンである。切り替えボタン３０２は切り替えボタン９３と同様の構成および動作であり、簡潔のため記載を省略する。
【０１４９】
以下、医師専用画面３０の動作を説明する。医師は入力部３４で画像データボタン３０１をタッチする。ＣＰＵ３１は画像データボタン３０１の入力を受け付ける。ＣＰＵ３１は画像選択画面４０の出力要求を通信部３６から情報処理装置１へ出力する。ＣＰＵ３１は画像選択画面４０の出力要求を通信部１６で端末装置３から取得する。ＣＰＵ１１は画像データＤＢ２２７に基づいて画像選択画面４０を生成する。
【０１５０】
ＣＰＵ１１は画像選択画面４０を通信部１６から端末装置３へ出力する。ＣＰＵ３１は画像選択画面４０を通信部３６で情報処理装置１から取得する。ＣＰＵ３１は画像選択画面４０を表示部３５に表示する。
【０１５１】
図３６は画像選択画面４０を説明する説明図である。画像選択画面４０は、左部に上から順に設けられた医療年月日欄４１Ａ、４１Ｂ、４１Ｃ、４１Ｄおよび４１Ｅ（以下、場合により代表として医療年月日欄４０１とする）と、右部に上から順に設けられた画像選択ボタン４２Ａ、４２Ｂ、４２Ｃ、４２Ｄおよび４２Ｅ（以下、場合により代表として画像選択ボタン４０２とする）とを備える。医療年月日欄４０１は医療年月日を表示するための欄である。画像選択ボタン４０２は表示部３５に表示する画像を選択するためのボタンである。
【０１５２】
以下、画像選択画面４０の生成方法を説明する。ＣＰＵ１１は画像データＤＢ２２７を参照する。ＣＰＵ１１は医師ＩＤ「Ｄ０００２」を取得する前に患者ＩＤ「００１」を取得している。このため、ＣＰＵ１１は患者「００１」に対応する医療年月日「２０１５年９月３日」、「２０１５年８月２０日」、「２０１５年８月１５日」、「２０１５年８月１０日」および「２０１５年８月８日」を医療年月日欄４１Ａ、４１Ｂ、４１Ｃ、４１Ｄおよび４１Ｅの夫々に生成する。ＣＰＵ１１は画像選択ボタン４２Ａ、４２Ｂ、４２Ｃ、４２Ｄおよび４２Ｅをレントゲン画像Ａ、内視鏡画像Ａ、ＣＴ画像Ａ、超音波画像Ａおよび超音波画像Ｂの夫々に対応づける。
【０１５３】
以下、画像選択画面４０の動作を説明する。医師が入力部３４で画像選択ボタン４２Ａを選択した場合、ＣＰＵ３１は画像選択ボタン４２Ａの選択を受け付ける。ＣＰＵ３１は患者「００１」および医療年月日「２０１５年９月３日」に対応するレントゲン画像Ａを表示部３５に表示する。また、医師が入力部３４で画像選択ボタン４２Ｂを選択した場合、ＣＰＵ３１は画像選択ボタン４２Ｂの選択を受け付ける。ＣＰＵ３１は患者「００１」および医療年月日「２０１５年８月２０日」に対応する内視鏡画像Ａを表示部３５に表示する。以下、画像選択ボタン４２Ｃ、４２Ｄおよび４２Ｅについても同様であり、簡潔のため記載を省略する。
【０１５４】
図３７〜３８は本実施形態における情報処理システムの処理手順を示したフローチャートである。ステップＳ１１からステップＳ２１の処理は実施の形態２と同様であり、簡潔のため記載を省略する。ＣＰＵ３１はステップＳ２１を終了した後、ＩＣカードからＩＤをカードリーダで取得し（ステップＳ１５０）、処理をステップＳ８２に移す。ＣＰＵ１１はステップＳ８７がＮＯであった場合、取得したＩＤが医師ＩＤであるか否かを判定する（ステップＳ１５１）。ＣＰＵ１１は取得したＩＤが医師ＩＤでないと判定した場合（ステップＳ１５１：ＮＯ）、処理をステップＳ１７に移す。ＣＰＵ１１は取得したＩＤが医師ＩＤであると判定した場合（ステップＳ１５１：ＹＥＳ）、医師専用画面３０を生成する（ステップＳ１５２）。ＣＰＵ１１は医師専用画面３０を通信部１６から端末装置３へ出力する（ステップＳ１５３）。ＣＰＵ３１は医師専用画面３０を通信部３６で情報処理装置１から取得する（ステップＳ１５４）。ＣＰＵ３１は医師専用画面３０を表示部３５に表示する（ステップＳ１５５）。
【０１５５】
ＣＰＵ３１は画像データボタン３０１の入力を受け付ける（ステップＳ１５６）。ＣＰＵ３１は画像選択画面４０の出力要求を通信部３６から情報処理装置１へ出力する（ステップＳ１５７）。ＣＰＵ３１は画像選択画面４０の出力要求を通信部１６で端末装置３から取得する（ステップＳ１５８）。ＣＰＵ１１は画像データＤＢ２２７に基づいて画像選択画面４０を生成する（ステップＳ１５９）。
【０１５６】
ＣＰＵ１１は画像選択画面４０を通信部１６から端末装置３へ出力する（ステップＳ１６０）。ＣＰＵ３１は画像選択画面４０を通信部３６で情報処理装置１から取得する（ステップＳ１６１）。ＣＰＵ３１は画像選択画面４０を表示部３５に表示する（ステップＳ１６２）。
【０１５７】
ＣＰＵ３１は画像選択ボタン４０２の選択を受け付ける（ステップＳ１６３）。ＣＰＵ３１は画像選択ボタン４０２に対応する画像を表示部３５に表示する（ステップＳ１６４）。ＣＰＵ３１は入力部３４で画像選択画面４０の終了処理を行い（ステップＳ１６５）、処理を終了する。
【０１５８】
一側面によれば、ＣＰＵ３１は画像選択画面４０で選択された画像を表示部３５に表示することで、患者に関する画像データを容易に参照することができる。
【０１５９】
なお、本実施形態では医師ＩＤであると判定した場合、医師専用画面３０および画像選択画面４０を表示したが、看護師ＩＤであると判定した場合に医師専用画面３０および画像選択画面４０を表示してもよい。また、ＩＤの種類は患者、医師または看護師ＩＤに限られるものではなく、薬剤師ＩＤまたはレントゲン技師ＩＤ等の医療関係者を識別するＩＤにも用いることができる。
【０１６０】
今回開示された実施の形態は全ての点で例示であって、制限的なものではないと考えられるべきである。本発明の範囲は、上記した意味ではなく、特許請求の範囲によって示され、特許請求の範囲と均等の意味および範囲内での全ての変更が含まれることが意図される。また、各実施の形態は、処理内容を矛盾させない範囲で適宜組み合わせることが可能である。
【符号の説明】
【０１６１】
１  情報処理装置
１２  記憶部
１３  ＲＡＭ（記憶部）
１２Ｐ  プログラム
３  端末装置
３２Ｐ  プログラム
３５  表示部
７  手術表示画面（説明画面）
７２  手術説明ボタン
７３  同意書面ボタン（取得ボタン）
７４  前日手術説明ボタン
７５  当日手術説明ボタン
７６  後日手術説明ボタン
８  同意画面
１０  バイタル画面（入力画面）
１１０  看護
【図１】
2018152139.tif 000003
【図２】
2018152139.tif 000004
【図３】
2018152139.tif 000005
【図４】
2018152139.tif 000006
【図５】
2018152139.tif 000007
【図６】
2018152139.tif 000008
【図７】
2018152139.tif 000009
【図８】
2018152139.tif 000010
【図９】
2018152139.tif 000011
【図１０】
2018152139.tif 000012
【図１１】
2018152139.tif 000013
【図１２】
2018152139.tif 000014
【図１３】
2018152139.tif 000015
【図１４】
2018152139.tif 000016
【図１５】
2018152139.tif 000017
【図１６】
2018152139.tif 000018
【図１７】
2018152139.tif 000019
【図１８】
2018152139.tif 000020
【図１９】
2018152139.tif 000021
【図２０】
2018152139.tif 000022
【図２１】
2018152139.tif 000023
【図２２】
2018152139.tif 000024
【図２３】
2018152139.tif 000025
【図２４】
2018152139.tif 000026
【図２５】
2018152139.tif 000027
【図２６】
2018152139.tif 000028
【図２７】
2018152139.tif 000029
【図２８】
2018152139.tif 000030
【図２９】
2018152139.tif 000031
【図３０】
2018152139.tif 000032
【図３１】
2018152139.tif 000033
【図３２】
2018152139.tif 000034
【図３３】
2018152139.tif 000035
【図３４】
2018152139.tif 000036
【図３５】
2018152139.tif 000037
【図３６】
2018152139.tif 000038
【図３７】
2018152139.tif 000039
【図３８】
2018152139.tif 000040
【手続補正書】
【提出日】平成30年7月5日(2018.7.5)
【手続補正１】
【補正対象書類名】特許請求の範囲
【補正対象項目名】全文
【補正方法】変更
【補正の内容】
【特許請求の範囲】
【請求項１】
患者を識別するための第１患者識別情報を取得する第１取得部と、
前記第１患者識別情報と、患者を識別する情報としてあらかじめ記憶された第２患者識別情報とが一致するか否かを判定する第１判定部と、
前記第１判定部で一致すると判定された場合に、看護師または医師を識別するための第１医師等識別情報を取得する第２取得部と、
前記第１医師等識別情報と、看護師または医師を識別する情報としてあらかじめ記憶された第２医師等識別情報とが一致するか否か判定する第２判定部と、
前記第１判定部が一致すると判定した場合、前記第２患者識別情報に対応する患者の医療情報の表示画面を表示し、前記第２判定部が一致すると判定した場合、前記第２患者識別情報に対応する患者の医療情報のうち前記看護師または前記医師が必要とする医療情報を含む表示画面を表示する表示部と、
を備える情報処理システム。
【請求項２】
患者を識別するための第１患者識別情報を取得する第１取得部と、
前記第１患者識別情報と、患者を識別する情報としてあらかじめ記憶された第２患者識別情報とが一致するか否かを判定する第１判定部と、
前記第１判定部で一致すると判定された場合に、看護師または医師を識別するための第１医師等識別情報を取得する第２取得部と、
前記第１医師等識別情報と、看護師または医師を識別する情報としてあらかじめ記憶された第２医師等識別情報とが一致するか否か判定する第２判定部と、
前記第１判定部が一致すると判定した場合、前記第２患者識別情報に対応する患者の医療情報の表示画面を表示し、前記第２判定部が一致すると判定した場合、前記第２患者識別情報に対応する患者の状態に関する状態情報の入力を受け付けるための入力画面を表示する表示部と、
を備える情報処理システム。
【請求項３】
患者を識別するための第１患者識別情報を取得する第１取得ステップと、
前記第１患者識別情報と、患者を識別する情報としてあらかじめ記憶された第２患者識別情報とが一致するか否かを判定する第１判定ステップと、
前記第１判定ステップにおいて一致すると判定した場合、前記第２患者識別情報に対応する患者の医療情報の表示画面を表示部に表示する第１表示ステップと、
前記第１判定ステップにおいて一致すると判定された場合に、看護師または医師を識別するための第１医師等識別情報を取得する第２取得ステップと、
前記第１医師等識別情報と、看護師または医師を識別する情報としてあらかじめ記憶された第２医師等識別情報とが一致するか否か判定する第２判定ステップと、
前記第２判定ステップにおいて一致すると判定した場合、前記第２患者識別情報に対応する患者の医療情報のうち前記看護師または前記医師が必要とする医療情報を含む表示画面を前記表示部に表示する第２表示ステップと、
を含む情報処理方法。
【請求項４】
患者を識別するための第１患者識別情報を取得する第１取得ステップと、
前記第１患者識別情報と、患者を識別する情報としてあらかじめ記憶された第２患者識別情報とが一致するか否かを判定する第１判定ステップと、
前記第１判定ステップにおいて一致すると判定した場合、前記第２患者識別情報に対応する患者の医療情報の表示画面を表示部に表示する第１表示ステップと、
前記第１判定ステップにおいて一致すると判定された場合に、看護師または医師を識別するための第１医師等識別情報を取得する第２取得ステップと、
前記第１医師等識別情報と、看護師または医師を識別する情報としてあらかじめ記憶された第２医師等識別情報とが一致するか否か判定する第２判定ステップと、
前記第２判定ステップにおいて一致すると判定した場合、前記第２患者識別情報に対応する患者の状態に関する状態情報の入力を受け付けるための入力画面を前記表示部に表示する第２表示ステップと、
を含む情報処理方法。
【手続補正２】
【補正対象書類名】明細書
【補正対象項目名】０００７
【補正方法】変更
【補正の内容】
【０００７】
上記目的を達成するため、本発明に係る情報処理システムは、
患者を識別するための第１患者識別情報を取得する第１取得部と、
前記第１患者識別情報と、患者を識別する情報としてあらかじめ記憶された第２患者識別情報とが一致するか否かを判定する第１判定部と、
前記第１判定部で一致すると判定された場合に、看護師または医師を識別するための第１医師等識別情報を取得する第２取得部と、
前記第１医師等識別情報と、看護師または医師を識別する情報としてあらかじめ記憶された第２医師等識別情報とが一致するか否か判定する第２判定部と、
前記第１判定部が一致すると判定した場合、前記第２患者識別情報に対応する患者の医療情報の表示画面を表示し、前記第２判定部が一致すると判定した場合、前記第２患者識別情報に対応する患者の医療情報のうち前記看護師または前記医師が必要とする医療情報を含む表示画面を表示する表示部と、
を備える。
【手続補正３】
【補正対象書類名】明細書
【補正対象項目名】０００８
【補正方法】変更
【補正の内容】
【０００８】
上記目的を達成するため、本発明に係る情報処理システムは、
患者を識別するための第１患者識別情報を取得する第１取得部と、
前記第１患者識別情報と、患者を識別する情報としてあらかじめ記憶された第２患者識別情報とが一致するか否かを判定する第１判定部と、
前記第１判定部で一致すると判定された場合に、看護師または医師を識別するための第１医師等識別情報を取得する第２取得部と、
前記第１医師等識別情報と、看護師または医師を識別する情報としてあらかじめ記憶された第２医師等識別情報とが一致するか否か判定する第２判定部と、
前記第１判定部が一致すると判定した場合、前記第２患者識別情報に対応する患者の医療情報の表示画面を表示し、前記第２判定部が一致すると判定した場合、前記第２患者識別情報に対応する患者の状態に関する状態情報の入力を受け付けるための入力画面を表示する表示部と、
を備える。
【手続補正４】
【補正対象書類名】明細書
【補正対象項目名】０００９
【補正方法】変更
【補正の内容】
【０００９】
上記目的を達成するため、本発明に係る情報処理方法は、
患者を識別するための第１患者識別情報を取得する第１取得ステップと、
前記第１患者識別情報と、患者を識別する情報としてあらかじめ記憶された第２患者識別情報とが一致するか否かを判定する第１判定ステップと、
前記第１判定ステップにおいて一致すると判定した場合、前記第２患者識別情報に対応する患者の医療情報の表示画面を表示部に表示する第１表示ステップと、
前記第１判定ステップにおいて一致すると判定された場合に、看護師または医師を識別するための第１医師等識別情報を取得する第２取得ステップと、
前記第１医師等識別情報と、看護師または医師を識別する情報としてあらかじめ記憶された第２医師等識別情報とが一致するか否か判定する第２判定ステップと、
前記第２判定ステップにおいて一致すると判定した場合、前記第２患者識別情報に対応する患者の医療情報のうち前記看護師または前記医師が必要とする医療情報を含む表示画面を前記表示部に表示する第２表示ステップと、
を含む情報処理方法。
【手続補正５】
【補正対象書類名】明細書
【補正対象項目名】００１０
【補正方法】変更
【補正の内容】
【００１０】
上記目的を達成するため、本発明に係る情報処理方法は、
患者を識別するための第１患者識別情報を取得する第１取得ステップと、
前記第１患者識別情報と、患者を識別する情報としてあらかじめ記憶された第２患者識別情報とが一致するか否かを判定する第１判定ステップと、
前記第１判定ステップにおいて一致すると判定した場合、前記第２患者識別情報に対応する患者の医療情報の表示画面を表示部に表示する第１表示ステップと、
前記第１判定ステップにおいて一致すると判定された場合に、看護師または医師を識別するための第１医師等識別情報を取得する第２取得ステップと、
前記第１医師等識別情報と、看護師または医師を識別する情報としてあらかじめ記憶された第２医師等識別情報とが一致するか否か判定する第２判定ステップと、
前記第２判定ステップにおいて一致すると判定した場合、前記第２患者識別情報に対応する患者の状態に関する状態情報の入力を受け付けるための入力画面を前記表示部に表示する第２表示ステップと、
を含む。